(57)【特許請求の範囲】
【請求項１】
複数の基地局セル分の無線通信処理を集約する無線基地局装置において、１ないし複数のベースバンド信号処理モジュールを集約して収容するベースバンド処理プールと、各前記ベースバンド信号処理モジュールに対して各前記基地局セルの処理リソース割り当てを行う処理リソース割り当て制御部と、前記ベースバンド信号処理モジュールと前記基地局セルとの間の接続切り替えを行う接続切り替え制御部と、を備え、かつ、前記接続切り替え制御部は、１ないし複数の接続切り替えモジュールを備え、各前記接続切り替えモジュールは、各前記基地局セルごとにあらかじめ定めた互いに隣接する１ないし複数の前記ベースバンド信号処理モジュールのいずれかに限定して接続するために、前記ベースバンド信号処理モジュールと接続するベースバンド信号処理モジュール用入出力インタフェースと、前記基地局セルと接続する基地局セル用入出力インタフェースと、を備えるとともに、隣接する１ないし複数の接続切り替えモジュールとの間を相互接続する相互接続用入出力インタフェースを備えて互いを連接して構成され、
前記処理リソース割り当て制御部は、
各前記ベースバンド信号処理モジュールに対して各前記基地局セルの処理リソース割り当て制御を行う動作に先立って、各前記ベースバンド信号処理モジュールのうち、稼動をオフ状態に設定しようとするベースバンド信号処理モジュールの候補をあらかじめ設定し、
各前記ベースバンド信号処理モジュールに対して各前記基地局セルの処理リソース割り当てを行う際に、稼動をオフ状態に設定しようとする前記ベースバンド信号処理モジュールの候補から距離的に離れた位置にあるベースバンド信号処理モジュールから順番に優先して処理リソース割り当て制御を行う、
ことを特徴とする無線基地局装置。
【請求項２】
前記処理リソース割り当て制御部は、稼動状態の前記ベースバンド信号処理モジュールの処理リソース使用率があらかじめ定めた上限値を超える場合に、当該ベースバンド信号処理モジュールからの接続距離が離れた位置にある基地局セルに関する処理から順番に優先して当該ベースバンド信号処理モジュールから他のベースバンド信号処理モジュールへ移動させる処理リソース切り替え制御を行うことを特徴とする請求項１記載の無線基地局装置。
【請求項３】
前記処理リソース割り当て制御部は、稼動状態の前記ベースバンド信号処理モジュールの処理リソース使用率があらかじめ定めた下限値を下回る場合に、当該ベースバンド信号処理モジュールからの接続距離が近い位置にある基地局セルに関する処理から順番に優先して当該ベースバンド信号処理モジュールへ割り当てる処理リソース切り替え制御を行うことを特徴とする請求項１または２に記載の無線基地局装置。
【請求項４】
各前記接続切り替えモジュールに備える前記相互接続用入出力インタフェースとして、各前記接続切り替えモジュールそれぞれと隣接する両側１個ずつの接続切り替えモジュールと相互接続する１系統ずつの入出力インタフェースか、あるいは、各前記接続切り替えモジュールそれぞれと隣接する両側２個ずつの接続切り替えモジュールと相互接続する２系統ずつの入出力インタフェースか、のいずれかを備えることを特徴とする請求項１ないし３のいずれかに記載の無線基地局装置。
【請求項５】
各前記接続切り替えモジュールは、前記相互接続用入出力インタフェースにより、リング状に連接して構成されていることを特徴とする請求項１ないし４のいずれかに記載の無線基地局装置。
【請求項６】
前記処理リソース割り当て制御部は、各前記ベースバンド信号処理モジュールに対して各前記基地局セルの処理リソース割り当てを行う動作に先立って、上位レイヤから通知される前記基地局セルのオン／オフ制御情報を参照して、稼動がオフ状態からオン状態に変化した基地局セルが検知された場合は、当該基地局セルからの接続距離が近い位置にあり、かつ、稼動がオン状態にあるベースバンド信号処理モジュールから順番に優先して、当該基地局セルに関する仮の処理リソース割り当て制御を行うことを特徴とする請求項１ないし５のいずれかに記載の無線基地局装置。
【請求項７】
複数の基地局セル分の無線通信処理を集約する無線基地局装置において、ベースバンド処理プールに集約して収容されている各ベースバンド信号処理モジュールに関し、各前記基地局セルそれぞれが接続することが可能なベースバンド信号処理モジュールとして、各前記基地局セルごとにあらかじめ定めた１ないし複数の互いに隣接するベースバンド信号処理モジュールのいずれかに限定し、かつ、各前記ベースバンド信号処理モジュールに対して各前記基地局セルの処理リソース割り当て制御を行う動作に先立って、各前記ベースバンド信号処理モジュールのうち、稼動をオフ状態に設定しようとするベースバンド信号処理モジュールの候補をあらかじめ設定し、前記処理リソース割り当てを行う際に、稼動をオフ状態に設定しようとする前記ベースバンド信号処理モジュールの候補から距離的に離れた位置にあるベースバンド信号処理モジュールから順番に優先して処理リソース割り当て制御を行う、ことを特徴とする基地局セル処理リソース割り当て方法。
【請求項８】
請求項７に記載の基地局セル処理リソース割り当て方法を、コンピュータによって実行することが可能なプログラムとして実施していることを特徴とする基地局セル処理リソース割り当てプログラム。
【発明の詳細な説明】
【技術分野】
【０００１】
本発明は、無線基地局装置、基地局セル処理リソース割り当て方法および基地局セル処理リソース割り当てプログラムに関する。特に、無線基地局装置の低消費電力化のために、複数基地局分のベースバンド信号処理部（ＢＢ部）を集約化し、処理リソースを効率的に共有化する無線基地局装置、基地局セル処理リソース割り当て方法および基地局セル処理リソース割り当てプログラムを格納した非一時的なコンピュータ可読媒体に関する。
【背景技術】
【０００２】
モバイル通信のデータトラフィックは、近年のスマートフォンやタブレット端末の急速な普及等により、爆発的に増加している。今後のトラフィック爆発に対応するために、２００７年の世界無線会議（ＷＲＣ−０７）において、ＬＴＥ（Long  Term  Evolution）−Advancedなど４Ｇ（４th  Generation）用の周波数帯として３.５ＧＨｚ帯の周波数帯域などを確保することで国際的な合意が得られており、これらの新規周波数帯が４Ｇ向けに割り当てられていくことが予想されている。また、システム全体のトラフィック容量を増大させるための施策として、従来のマクロセル基地局のエリア内にスモールセル基地局を複数設置するヘテロジニアスネットワーク構成や、スモールセル基地局の高密度設置などが検討されている。【０００３】
なお、無線基地局ごとのトラフィックは、その設置場所にも依存して、時間ごとに変動する。例えば、オフィスエリアでは、勤務時間帯である昼間にトラフィックがピークになるが、住宅エリアでは、帰宅後の夕方から夜にかけてトラフィックがピークになる。しかし、いずれのエリアにおいても、深夜はトラフィックも減少する。ここで、既存の無線通信システムの場合は、それぞれの基地局ごとにそれぞれのエリアのピークに合わせた無線通信用処理リソースが実装されており、たとえ、トラフィックが減少した状況下においても、全ての基地局の無線通信用処理リソースがそれぞれで独立に動作して、電力を無駄に消費していた。【０００４】
そこで、トラフィック爆発に対応するための今後のスモールセル基地局の高密度設置時期に向けて、複数基地局分のベースバンド信号処理などの無線通信処理部の処理リソースを１つの無線基地局装置内に集約化するＣ−ＲＡＮ（Cloud  Radio  Access  Network）またはＢＢ−Pooling（ベースバンドプーリング）と呼ばれるアーキテクチャが提案されている。【０００５】
Ｃ−ＲＡＮアーキテクチャのコンセプトは、集約化した無線通信処理部の処理リソースを、複数の基地局間で効率的にリソース共有することにより、無線基地局装置の低コスト化や低消費電力化を可能にする技術である。すなわち、該Ｃ−ＲＡＮアークテクチャにおいては、複数の基地局の無線通信処理を親局として別途配置した１つの無線基地局装置内に集約化して、理想的には、全ての基地局エリア分のトラフィックを平均化した形でのピーク分に合わせた処理リソースを実装することにより、装置小規模化や低コスト化が可能である。また、リソース共有により、低トラフィック時には動作させる処理リソース数を劇的に減らすことが可能となり、低消費電力化も可能になる。【０００６】
ここで、該Ｃ−ＲＡＮアーキテクチャを効率的に実現するためには、各基地局の通信トラフィックの変動に応じて集約化した演算器（処理リソース）を共有し、稼動するベースバンドカード数や演算器数をできるだけ減らすような全体アーキテクチャ構成技術と処理リソース割り当て技術とが重要な課題である。また、もう１つの課題として、徐々に増大するトラフィックに対して、徐々に無線基地局装置も増強することができるような拡張性の高い装置アーキテクチャを構築することも重要な課題である。【０００７】
従来の無線基地局装置に対する全体アーキテクチャや処理リソース割り当て技術に関しては、例えば、特許文献１の特開２０１１−１０１１０４号公報「無線基地局装置及び無線基地局装置制御方法」、特許文献２の特開２０１２−２５７１１０号公報「分散アンテナシステム、分散アンテナ割り当て方法、基地局装置」、特許文献３の特開２００５−１１７５７９号公報「無線送信装置、無線受信装置、移動通信システムおよび無線リソース制御方法」、非特許文献１のＫＤＤＩ研究所の「ＢＢＵ−ＲＲＨ  Switching  Schemes  for  Centralized  ＲＡＮ」、非特許文献２のＫＤＤＩ研究所の「Centralized  ＲＡＮにおけるＢＢＵ−ＲＲＨ切替手法」等に開示されているように、いくつかの従来技術が提案されている。【０００８】
例えば、前記特許文献１等に開示されている従来技術においては、無線基地局装置において、稼動状態のベースバンドカードの数を制御する技術が提案されている。つまり、無線基地局装置は、複数のベースバンドカードを有し、それぞれのリソース使用量の測定部と、リソース使用量に基づいて、それぞれのベースバンドカードのリソース収容替えを行う制御部とを備えている。また、既存サービスとＨＳ（High  Speed）サービスとの両方を収容可能なカードと、既存サービスのみ収容可能でＨＳサービスは収容不可であるカードと、を考慮して収容替えを行う。【０００９】
しかしながら、該特許文献１等の従来技術の場合、全てのベースバンドカードと、全ての基地局セル無線部と、の接続が、全ての組み合わせ（「ベースバンドカード数×基地局無線セル数」に比例する組み合わせ数）で自由に切り替えられることが前提となっており、接続切り替え部の回路構成が大きく、複雑になってしまうという課題がある。また、無線基地局装置のベースバンドカードや基地局セル無線部を拡張しようとした場合に、いずれか１個を追加する拡張を行う場合であっても、相手側の全てに接続することができることが必要であり、既に実装されている接続切り替え部を新たなベースバンドカード数や基地局セル無線部の個数に応じた接続切り替え部に丸ごと交換することが必要になり、拡張性が低いという課題もある。【００１０】
次に、前記非特許文献１等に開示されている従来技術においては、ＢＢＵ（Base  Band  Unit：ベースバンド信号処理カードすなわちベースバンド信号の信号処理カード）とＲＲＨ（Remote  Radio  Head：リモート無線ヘッドすなわち無線リソース）との間の切り替え手法として、長期的なトラフィック変化に追従する準静的切り替え手法と、短期的なトラフィック変化に追従する動的切り替え手法と、の２種類の切り替え手法が提案されている。【００１１】
しかしながら、ＢＢＵとＲＲＨとの間の接続には、スイッチを用いて、全ての組み合わせで接続することが可能であることが、前記２種類の切り替え手法の前提となっている。したがって、前記特許文献１等の従来技術の場合と同様、「ＢＢＵ数×ＲＲＨ数」に比例するスイッチを備える必要があり、スイッチの構成は複雑化するという課題と、また、ＲＲＨの増強やそれに伴いＢＢＵも増強する場合に、既存のスイッチを新たなＢＢＵ数やＲＲＨ数を考慮したスイッチに丸ごと交換／拡張することが必要であり、拡張性が低いという課題がある。すなわち、ＢＢＵやＲＲＨ自体の拡張性は考慮されているものの、スイッチすなわち接続切り替え部の拡張性が考慮されていない。【００１２】
なお、もし、仮に、全ての組み合わせによる接続を実現しないスイッチを用いた場合には、前記非特許文献１等で提案の切り替え手法では、所望の効用を得ることができない。すなわち、全てのＢＢＵとＲＲＨとの間について接続することができないことにより、所望の処理リソース共有を実現することができないケースが生じるという課題が発生する。【００１３】
前記特許文献２や前記特許文献３等に開示されている従来技術においては、複数のベースバンドユニット（ＢＢＵ）と複数の無線リソース（ＲＲＨ）との接続状態や、ＢＢＵ処理リソースとユーザデータとの間の接続状態を、スイッチやバッファを用いて切り替える技術が提案されている。この場合も、前記特許文献２に記載されたスイッチや、前記特許文献３に記載されたバッファ間の相互接続が、全ての組み合わせの接続を実現することができることを前提としており、拡張する場合には、スイッチ全体や、バッファ間相互接続網全体を変更する必要があるという課題がある。
【先行技術文献】
【特許文献】
【００１４】
【特許文献１】特開２０１１−１０１１０４号公報（第５−８頁）
【特許文献２】特開２０１２−２５７１１０号公報（第１４−１６頁）
【特許文献３】特開２００５−１１７５７９号公報（第１６−２０頁）
【非特許文献】
【００１５】
【非特許文献１】「ＢＢＵ−ＲＲＨ  Switching  Schemes  for  Centralized  ＲＡＮ」，ＫＤＤＩ  Lab，２０１２  ＣＨＩＮＡＣＯＭ，pp．７６２〜７６６
【非特許文献２】「Centralized  ＲＡＮにおけるＢＢＵ−ＲＲＨ切替手法」、ＫＤＤＩ研究所、信学技報ＲＣＳ２０１２−２５０（２０１３−１）
【発明の概要】
【発明が解決しようとする課題】
【００１６】
以下に、本発明における課題について説明する。一般に、複数の基地局セル（ＲＲＵ：Remote  Radio  Unitリモート無線ユニット）分のベースバンド信号処理を１ないし複数のベースバンド信号処理部（ＢＢＵ：Base  Band  Unitベースバンドユニット）を集約化して、処理リソースの共有化を行う無線基地局装置において、低消費電力化を図るべく、稼動ＢＢＵ数ができるだけ少なくなるように、効率的に処理リソース共有を行うために、ＢＢＵとＲＲＵとの接続切り替えを行う接続切り替え部が用いられる。【００１７】
本発明における課題は、ここで、前述した従来技術のように、全てのＢＢＵと全てのＲＲＵとの間を接続可能な接続切り替え部を実装すると、一般的なスイッチやバッファ間相互接続網のような接続切り替え部の場合、その回路規模が「ＢＢＵ数×ＲＲＵ数」等に比例するため、接続切り替え部の回路構成が膨大になってしまうことにある。【００１８】
また、トラフィック増加に伴って、ＲＲＵまたはＢＢＵをモジュール単位で増強する場合にも、同様の理由で、接続切り替え部を線形的に拡張することができない。すなわち、既存のＢＢＵ数やＲＲＵ数にも依存して非線形に接続切り替え部を丸ごと交換／変更しなければならず、拡張性が低いという課題がある。【００１９】
一方で、仮に、ＢＢＵとＲＲＵとの間の接続の組み合わせを限定するような接続切り替え部を用いた場合には、従来技術で提案されているような処理リソース割り当て手法においては、ＢＢＵとＲＲＵとの間で接続することができない組み合わせが生じてしまうことにより、所望の処理リソースの共有を実現することができないという課題が生じる。【００２０】
（本発明の目的）
本発明は、かかる事情に鑑みてなされたものであり、複数の基地局セル（ＲＲＵ）と集約化された１ないし複数のベースバンド信号処理部（ＢＢＵ）との間の接続切り替えを行う接続切り替え制御部が、ＲＲＵまたはＢＢＵの拡張時に、ＲＲＵやＢＢＵと同様に、線形に拡張することができ、さらに、線形に拡張可能な接続切り替え制御部を用いた場合であっても、ＢＢＵとＲＲＵとの間の全ての接続組み合わせを実現している接続切り替え制御部を用いた場合と同等程度の、処理リソース共有による低消費電力化効果が得られる無線基地局装置、基地局セル処理リソース割り当て方法および基地局セル処理リソース割り当てプログラムを提供することに、その目的がある。
【課題を解決するための手段】
【００２１】
前述の課題を解決するため、本発明による無線基地局装置、基地局セル処理リソース割り当て方法および基地局セル処理リソース割り当てプログラムは、主に、次のような特徴的な構成を採用している。【００２２】
（１）本発明による無線基地局装置は、複数の基地局セル分の無線通信処理を集約する無線基地局装置において、１ないし複数のベースバンド信号処理モジュールを集約して収容するベースバンド処理プールと、各前記ベースバンド信号処理モジュールに対して各前記基地局セルの処理リソース割り当てを行う処理リソース割り当て制御部と、前記ベースバンド信号処理モジュールと前記基地局セルとの間の接続切り替えを行う接続切り替え制御部と、を備え、かつ、前記接続切り替え制御部は、１ないし複数の接続切り替えモジュールを備え、各前記接続切り替えモジュールは、各前記基地局セルごとにあらかじめ定めた互いに隣接ずる１ないし複数の前記ベースバンド信号処理モジュールのいずれかに限定して接続するために、前記ベースバンド信号処理モジュールと接続するベースバンド信号処理モジュール用入出力インタフェースと、前記基地局セルと接続する基地局セル用入出力インタフェースと、を備えるとともに、隣接する１ないし複数の接続切り替えモジュールとの間を相互接続する相互接続用入出力インタフェースを備えて互いを連接して構成されていることを特徴とする。【００２３】
（２）本発明による基地局セル処理リソース割り当て方法は、複数の基地局セル分の無線通信処理を集約する無線基地局装置における基地局セル処理リソース割り当て方法であって、ベースバンド処理プールに集約して収容されている各ベースバンド信号処理モジュールに関し、各前記基地局セルそれぞれが接続することが可能なベースバンド信号処理モジュールとして、各前記基地局セルごとにあらかじめ定めた１ないし複数の互いに隣接するベースバンド信号処理モジュールのいずれかに限定し、かつ、各前記ベースバンド信号処理モジュールに対して各前記基地局セルの処理リソース割り当て制御を行う動作に先立って、各前記ベースバンド信号処理モジュールのうち、稼動をオフ状態に設定しようとするベースバンド信号処理モジュールの候補をあらかじめ設定することを特徴とする。【００２４】
（３）本発明による基地局セル処理リソース割り当てプログラムは、前記（２）に記載の基地局セル処理リソース割り当て方法を、コンピュータによって実行することが可能なプログラムとして実施していることを特徴とする。
【発明の効果】
【００２５】
本発明の無線基地局装置、基地局セル処理リソース割り当て方法および基地局セル処理リソース割り当てプログラムによれば、以下のような効果を奏することができる。【００２６】
第１の効果は、複数の基地局セル（ＲＲＵ）分の無線通信処理を集約する無線基地局装置において、接続切り替え制御部の回路規模を低減することにより、装置小規模化や低消費電力化を実現することができることである。【００２７】
その理由は、本発明の無線基地局装置においては、接続切り替え制御部として、基地局セル（ＲＲＵ）−ベースバンド信号処理モジュール（ベースバンド信号処理カード：ＢＢＵ）間の接続を限定した接続切り替えモジュールを複数並べて連接して構成しているので、基地局セル（ＲＲＵ）−ベースバンド信号処理モジュール（ＢＢＵ）間の理想的な全ての接続組み合わせを実現する従来の接続切り替え部に比べて、その回路規模を大幅に削減することができるためである。【００２８】
第２の効果は、複数の基地局セル（ＲＲＵ）分の無線通信処理を集約する無線基地局装置において、トラフィック増大等に対応するために、装置を拡張しようとする場合に、基地局セル（ＲＲＵ）や、ベースバンド信号処理モジュール(ベースバンド信号処理カード：ＢＢＵ)だけでなく、接続切り替え制御部の接続切り替えモジュールも含めて、必要な分だけ線形に拡張することが可能であり、拡張性が向上することである。【００２９】
その理由は、本発明の無線基地局装置においては、接続切り替え制御部として、基地局セル（ＲＲＵ）−ベースバンド信号処理モジュール（ＢＢＵ）間の接続を限定し、隣接する接続切り替えモジュールとの相互接続インタフェースを備えた接続切り替えモジュールを複数並べて連接して構成しているので、接続切り替えモジュールも、基地局セル（ＲＲＵ）やベースバンド信号処理モジュール（ＢＢＵ）と同様に、例えば、拡張する「ＢＢＵ数」に応じて線形に拡張すれば良いためである。【００３０】
第３の効果は、複数の基地局セル（ＲＲＵ）分の無線通信処理を集約する無線基地局装置において、接続制限がある接続切り替え制御部を用いた場合であっても、理想的な接続切り替え部を用いた場合とほぼ同等の処理リソース共有を実現することができ、ほぼ同等の低消費電力化効果が得られることである。【００３１】
その理由は、本発明の基地局セル処理リソース割り当て方法においては、稼動ＯＦＦにしたい（稼動をオフ状態に設定しようとする）ベースバンド信号処理モジュール（ＢＢＵ）をあらかじめ決定して、該稼動ＯＦＦ対象のベースバンド信号処理モジュール（ＢＢＵ）の情報を参酌しながら、例えば、該稼動ＯＦＦ対象のベースバンド信号処理モジュール（ＢＢＵ）から距離的に離れたベースバンド信号処理モジュール（ＢＢＵ）から順番に優先するようにして、稼動ＯＮ状態のベースバンド信号処理モジュール（ＢＢＵ）に対する処理リソース割り当て制御を行うためである。
【図面の簡単な説明】
【００３２】
【図１】本発明の第１の実施の形態における無線基地局装置の全体構成例を示すブロック構成図である。
【図２】本発明の第１の実施の形態における接続切り替えモジュールの構成例を示す模式図である。
【図３】本発明の第１の実施の形態における接続切り替えモジュールの接続構成例を示す接続構成図である。
【図４】本発明の第１の実施の形態における処理リソース割り当て制御に関する全体の処理手順の一例を説明するための制御フローチャートである。
【図５】本発明の第１の実施の形態における処理リソース割り当て制御において次に稼動ＯＦＦにしたいベースバンド信号処理カード（ＢＢＵ）の順番を決定する仕組みの一例を説明するための説明図である。
【図６】本発明の第１の実施の形態における処理リソース割り当て制御においてベースバンド信号処理カード（ＢＢＵ）の基地局セル（ＲＲＵ）処理を他のベースバンド信号処理カード（ＢＢＵ）に移動させる処理の一例を示す制御フローチャートである。
【図７】本発明の第１の実施の形態における処理リソース割り当て制御においてベースバンド信号処理カード（ＢＢＵ）に対して割り当て未決定の基地局セル（ＲＲＵ）処理を割り当てる処理の一例を示す制御フローチャートである。
【図８】本発明の第２の実施の形態における無線基地局装置の全体構成例を示すブロック構成図である。
【図９】本発明の第２の実施の形態における接続切り替えモジュールの構成例を示す模式図である。
【図１０】本発明の第２の実施の形態における接続切り替えモジュールの接続構成例と、次に稼動ＯＦＦにしたいベースバンド信号処理カード（ＢＢＵ）の順番を決定する仕組みの一例とを説明するための説明図である。
【図１１】本発明の第３の実施の形態における無線基地局装置の全体構成例を示すブロック構成図である。
【図１２】従来の基地局セル（ＲＲＵ）−ベースバンド信号処理カード（ＢＢＵ）間の全ての接続組み合わせを実現する理想的な例えばクロスバ型のような接続切り替え部を用いた場合における問題点を説明するための説明図である。
【図１３】本発明の実施の形態における基地局セル処理リソース割り当て方法と従来の基地局セル処理リソース割り当て方法との、処理リソース共有効果について説明するための模式図である。
【発明を実施するための形態】
【００３３】
以下、本発明による無線基地局装置、基地局セル処理リソース割り当て方法および基地局セル処理リソース割り当てプログラムの好適な実施形態について添付図を参照して説明する。なお、以下の説明においては、本発明による無線基地局装置および基地局セル処理リソース割り当て方法について説明するが、かかる基地局セル処理リソース割り当て方法をコンピュータにより実行可能な基地局セル処理リソース割り当てプログラムとして実施するようにしても良いし、あるいは、基地局セル処理リソース割り当てプログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００３４】
（本発明の特徴）
本発明の実施形態の説明に先立って、本発明の特徴についてその概要をまず説明する。本発明は、複数の基地局セル（ＲＲＵ：Remote  Radio  Unitリモート無線ユニット）分のベースバンド信号処理（無線通信処理）を集約化した１ないし複数のベースバンド信号処理モジュール（ＢＢＵ：Base  Band  Unitベースバンド信号処理カード）にて行い、処理リソースの共有化を図る無線基地局装置において、ＲＲＵとＢＢＵとの間の接続切り替えを行うために配置される接続切り替え部として、ＲＲＵまたはＢＢＵの拡張時に、ＲＲＵやＢＢＵと同様に、線形に拡張することができる比較的簡単な回路構成で実現することができ、かつ、線形に拡張可能な接続切り替え部を用いた場合であっても、ＢＢＵとＲＲＵとの間で接続することができない組み合わせが発生しないように全ての組み合わせの接続を実現する従来の接続切り替え部を用いた場合と同等程度の、処理リソース共有による低消費電力化効果が得られることを、主要な特徴としている。
【００３５】
より具体的には、本発明は、次のような仕組みを備えている。すなわち、複数の基地局セル（ＲＲＵ）分のベースバンド信号処理（無線通信処理）を集約化したベースバンド信号処理モジュール（ＢＢＵ）にて行う無線基地局装置において、ＲＲＵとＢＢＵとの間の接続切り替えを行う接続切り替え制御部を備え、該接続切り替え制御部は、互いに隣接する３つまたは複数のＢＢＵに限定して接続することが可能な１ないし複数の接続切り替えモジュールを並べて互いに連接した構成とすることを主要な特徴としている。
【００３６】
また、同時に、前述のごとき限定した接続状態を勘案して、ＢＢＵへのＲＲＵ処理リソース割り当てを行う動作に先立って、稼動をＯＦＦにしたい（すなわち、稼動をオフ状態に設定しようとする）ＢＢＵの候補をあらかじめ決定し、しかる後、決定した当該ＢＢＵの候補から距離的に離れたＢＢＵから順番に優先的に処理リソース割り当て制御を行うことも主要な特徴としている。
【００３７】
そして、優先的に処理割り当てを行ったＢＢＵの処理リソース使用率があらかじめ定めた上限値を超えた場合には、当該ＢＢＵからの接続距離が離れた位置にあるＲＲＵに関するＲＲＵ処理から順番に優先的に他のＢＢＵに移動させる制御を行い、一方、当該ＢＢＵの処理リソース使用率があらかじめ定めた下限値を下回った場合には、逆に、当該ＢＢＵからの接続距離が近い位置にあるＲＲＵに関するＲＲＵ処理から順番に優先的に当該ＢＢＵに対する処理割り当て制御を行うことも主要な特徴としている。
【００３８】
而して、本発明により、次のような効果が得られる。本発明における無線基地局装置は、接続切り替え制御部として、互いに隣接する３つまたは複数のＢＢＵに限定して接続可能な接続切り替えモジュールを並べる構成にしたことにより、ＲＲＵまたはＢＢＵを拡張する場合に、ＲＲＵやＢＢＵと同様に、接続切り替えモジュールを線形に拡張するだけで対応することができ、接続切り替え制御部を含めて、線形に拡張することが可能な無線基地局装置を実現することができる。
【００３９】
そして、ＢＢＵとＲＲＵとの間の接続の組み合わせを限定しながらも、かかる制約条件を考慮して、稼動をＯＦＦにしたいＢＢＵをあらかじめ決定して、決定した当該ＢＢＵから距離的に離れたＢＢＵから順番に優先的に処理割り当て制御を行い、かつ、対象ＢＢＵに対するＲＲＵ処理割り当て制御も、対象ＢＢＵからの接続距離を考慮した処理割り当て制御方法とすることにより、接続に限定のない理想的な接続切り替え部を用いた場合とほぼ同等な処理リソース共有化すなわち低消費電力化を実現することができる。
【００４０】
（本発明の実施の形態）
次に、図１ないし図１１の各図面を参照しながら、本発明の実施の形態について詳細に説明する。まず、第１の実施の形態においては、本発明における無線基地局装置の一例として、複数の基地局セル（ＲＲＵ：Remote  Radio  Unitリモート無線ユニット）分のベースバンド信号処理（無線通信処理）を１ないし複数のベースバンド信号処理モジュール（ＢＢＵ：Base  Band  Unitベースバンド信号処理カード）に集約化して、処理リソースの共有化を行う無線基地局装置において、ＲＲＵとＢＢＵとの間の接続切り替えを行うために無線基地局装置内に配置される接続切り替え制御部の基本構成と特徴、および、基地局セル処理リソース割り当て方法の動作と特徴とについて詳説する。また、第２の実施の形態においては、接続切り替え制御部として、隣接する５つ（複数）のベースバンド信号処理モジュール（ＢＢＵ）に接続可能な接続切り替えモジュールを備えた無線基地局装置の構成例について詳説する。さらに、第３の実施の形態においては、ベースバンド信号処理モジュールと基地局セルと接続切り替えモジュールとを、あらかじめ定めた一定の単位でクラスタ化した無線基地局装置の構成例について詳説する。
【００４１】
（第１の実施の形態の構成例）
図１は、本発明の第１の実施の形態における無線基地局装置の全体構成例を示すブロック構成図であり、無線基地局装置として、無線信号処理を集約化してその処理リソースを共有する無線基地局装置の全体構成例を示している。
【００４２】
図１に示す無線基地局装置１００は、ｎ（ｎ：自然数）個の基地局セル（ＲＲＵ：Remote  Radio  Unitリモート無線ユニット）１１〜１ｎの各無線通信処理を集約して実施するベースバンド処理プール（ＢＢＵ−pool）２０を備え、ベースバンド処理プール（ＢＢＵ−pool）２０内にはｋ（ｋ：自然数、ｋ≦ｎ）個のベースバンド信号処理カード（ＢＢＵ：Base  Band  Unitベースバンド信号処理モジュール）２１〜２ｋを備える。ベースバンド処理プール（ＢＢＵ−pool）２０内のｋ個（１個ないし複数個）のベースバンド信号処理カード（ＢＢＵ）２１〜２ｋそれぞれは、ｎ個の基地局セル（ＲＲＵ）１１〜１ｎ間における処理リソースの共有を行いながら、例えばＬＴＥ−Advancedなどの無線方式のLayer−１処理（ベースバンド信号処理）等を行う。
【００４３】
また、ｋ個（１個ないし複数個）のベースバンド信号処理カード（ＢＢＵ）２１〜２ｋそれぞれのＲＦ（Radio  Frequency：無線）部側は、接続切り替え制御部３０を介して、光ファイバや無線バックホール（フロントホール）などにより、各基地局セル（ＲＲＵ）１１〜１ｎと接続される。ここで、ベースバンド処理プール（ＢＢＵ−pool）２０において処理する無線方式は、ＬＴＥ−Advanced以外の無線方式であっても何ら問題はないし、また、処理するレイヤについてもLayer−１以外のLayer−２等の処理であっても特に問題はない。
【００４４】
そして、接続切り替え制御部３０は、ｋ個（１個ないし複数個）のベースバンド信号処理カード（ＢＢＵ）２１〜２ｋそれぞれに対応して、ｋ個の接続切り替えモジュール３１〜３ｋを備え、ｋ個の接続切り替えモジュール３１〜３ｋそれぞれを順番に並べて隣同士を互いに連接して構成することを特徴としている。ここで、各接続切り替えモジュール３１〜３ｋは、それぞれ、１つまたは複数の基地局セル（ＲＲＵ）１１〜１ｎと１つまたは複数のベースバンド信号処理カード（ＢＢＵ）２１〜２ｋとの間の接続を行うことが可能であり、かつ、隣接する接続切り替えモジュールとの間の相互接続が可能な構成としている。例えば、ｋ個の接続切り替えモジュール３１〜３ｋのうち、第ｉ（１≦ｉ≦ｋ）番目の接続切り替えモジュール３ｉは、隣接する第（ｉ−１）番目の接続切り替えモジュール３（ｉ−１）および第（ｉ＋１）番目の接続切り替えモジュール３（ｉ＋１）と相互に接続することが可能である。
【００４５】
したがって、ｎ個の基地局セル（ＲＲＵ）１１〜１ｎのうち、第ｉ番目の接続切り替えモジュール３ｉに接続された任意の基地局セル（ＲＲＵ）例えば第ｊ（１≦ｊ≦ｎ）番目の基地局セル（ＲＲＵ）１ｊは、当該ＲＲＵ１ｊが接続された接続切り替えモジュール３ｉに対応する第ｉ番目のＢＢＵ２ｉを中心にして、両側に隣接する複数のＢＢＵ間すなわち第（ｉ−１）番目のＢＢＵ２（ｉ−１）および第（ｉ＋１）番目のＢＢＵ２（ｉ＋１）間において、接続を切り替えることが可能である。
【００４６】
また、無線基地局装置１００は、ベースバンド処理プール（ＢＢＵ−pool）２０内のｋ個のベースバンド信号処理カード（ＢＢＵ）２１〜２ｋに対する処理リソース割り当て制御用に、処理リソース割り当て制御部５１、トラフィック予測部５２、接続情報格納部５３等も備えている。
【００４７】
トラフィック予測部５２は、処理リソース割り当て制御のために、過去のトラフィック履歴やデータベース等を用いて、次の一定期間におけるトラフィックを予測する部位である。処理リソース割り当て制御部５１は、トラフィック予測部５２において予測されたトラフィックに基づいて、ｎ個の各基地局セル（ＲＲＵ）１１〜１ｎのｋ個の各ベースバンド信号処理カード（ＢＢＵ）２１〜２ｋに対する処理リソース割り当て制御を行う部位である。また、接続情報格納部５３には、限定した接続が行われる基地局セル（ＲＲＵ）１１〜１ｎとベースバンド信号処理カード（ＢＢＵ）２１〜２ｋとの間の接続情報として、どのＲＲＵがどのＢＢＵに接続することが可能であるかという接続情報が格納されており、処理リソース割り当て制御部５１は、必要に応じて、接続情報格納部５３の接続情報も参照して、処理リソース割り当て制御を行う。
【００４８】
（第１の実施の形態の動作の説明）
次に、本発明の第１の実施の形態として図１に示した無線帰途局装置１００の動作の一例について、図２ないし図７を用いて詳細に説明する。なお、図１に示した無線基地局装置１００のベースバンド処理プール（ＢＢＵ−pool）２０内のｋ個の各ベースバンド信号処理カード（ＢＢＵ）２１〜２ｋにおいては、前述したように、ｎ個の基地局セル（ＲＲＵ）１１〜１ｎ分の、例えばＬＴＥ−AdvancedなどのLayer−１処理（ベースバンド信号処理）等の無線通信処理を集約して行っている。
【００４９】
ｋ個のベースバンド信号処理カード（ＢＢＵ）２１〜２ｋによる処理リソースの共有により、基地局セル（ＲＲＵ）１１〜１ｎ分のそれぞれの基地局セル（ＲＲＵ）の処理を、ｋ個のベースバンド信号処理カード（ＢＢＵ）２１〜２ｋのうち、どのベースバンド信号処理カード（ＢＢＵ）で実施するかを可変とするために、各基地局セル（ＲＲＵ）１１〜１ｎと各ベースバンド信号処理カード（ＢＢＵ）２１〜２ｋとの間の接続切り替えは、接続切り替え制御部３０にて実施される。接続切り替え制御部３０にて切り替えられた各送受信信号は、光ファイバや無線バックホール（フロントホール）などを介して、互いが接続された状態になった基地局セル（ＲＲＵ）１１〜１ｎとベースバンド信号処理カード（ＢＢＵ）２１〜２ｋとの間で送受信される。
【００５０】
ここで、接続切り替え制御部３０は、隣接する接続切り替えモジュール同士を相互接続することが可能な状態になるように、隣り合う各接続切り替えモジュール３１〜３ｋを互いに連接した構成としている。図２は、本発明の第１の実施の形態における接続切り替えモジュール３１〜３ｋの構成例を示す模式図であり、各接続切り替えモジュール３１〜３ｋの一構成例として、第ｉ番目（１≦ｉ≦ｋ）の接続切り替えモジュール３ｉを例にとって、隣接する両側１個ずつの接続切り替えモジュールと相互接続を可能にする構成例を示している。
【００５１】
図２に示す例においては、１つの接続切り替えモジュール３ｉにはＢＢＵ＃ｉの１個との間を接続するベースバンド信号処理モジュール（ＢＢＵ）用入出力インタフェース、（少なくとも）ＲＲＵ＃ｊ１、ＲＲＵ＃ｊ２、ＲＲＵ＃ｊ３（１≦ｊ１、ｊ２、ｊ３≦ｋ）の３個のＲＲＵとの間を接続するベースバンド信号処理モジュール（ＢＢＵ）基地局セル（ＲＲＵ）用入出力インタフェース、両側に隣接する接続切り替えモジュール３（ｉ−１）および接続切り替えモジュール３（ｉ＋１）それぞれとの間を相互接続する相互接続用入出力インタフェース、を備えている場合の一例を示している。例えば、該接続切り替えモジュール３ｉに接続された第ｉ番目のＢＢＵ＃ｉの１個のみによって、トラフィックが如何に大きい場合であっても、（少なくとも）任意の３個のＲＲＵ、例えば、第ｊ１番目のＲＲＵ＃ｊ１、第ｊ２番目のＲＲＵ＃ｊ２、第ｊ３番目のＲＲＵ＃ｊ３（１≦ｊ１、ｊ２、ｊ３≦ｋ）の３個のＲＲＵに関する無線通信処理を行うことができる場合を想定した構成例を示している。
【００５２】
図２に示す構成例の場合、当該接続切り替えモジュール３ｉに接続された３個のＲＲＵ＃ｊ１、ＲＲＵ＃ｊ２、ＲＲＵ＃ｊ３からの第１ＲＲＵ入力インタフェース１が１系統、両側の隣接接続切り替えモジュール３（ｉ−１）および３（ｉ＋１）からの第２ＲＲＵ入力インタフェース２が２系統、ＲＲＵ＃ｊ１、ＲＲＵ＃ｊ２、ＲＲＵ＃ｊ３から両側の隣接接続切り替えモジュール３（ｉ−１）および３（ｉ＋１）に向けた第１ＲＲＵ出力インタフェース３が２系統、そして、第１ＲＲＵ入力インタフェース１と第２ＲＲＵ入力インタフェース２とのそれぞれからの各入力を選択調停する選択回路（図２には図示していない）等から構成される。
【００５３】
各ベースバンド信号処理カード（ＢＢＵ）２１〜２ｋの最大処理能力にも依存するが、図２に示す実施例においては、１個のＢＢＵ例えばＢＢＵ＃ｉに最大９個の基地局セル（ＲＲＵ）を接続して、処理することが可能である。なお、図２には、ＲＲＵ側からＢＢＵ側への信号の流れのみを図示しており、ＢＢＵ側からＲＲＵ側への逆方向の信号の流れについては記載を割愛している。しかし、実際には、ＢＢＵ側からＲＲＵ側への逆方向の信号の流れもほぼ同様に存在することに留意されたい。
【００５４】
かくのごとく、複数の接続切り替えモジュールを並べて互いに連接して、隣接する両側１個ずつの接続切り替えモジュールと相互接続することにより、各接続切り替えモジュール例えば接続切り替えモジュール＃ｉ  ３ｉに接続された任意の基地局セル（ＲＲＵ）例えばＲＲＵ＃ｊ１は、当該ＲＲＵ＃ｊ１が接続された接続切り替えモジュール例えば接続切り替えモジュール＃ｉ  ３ｉに対応するＢＢＵ例えばＢＢＵ＃ｉを中心にして、少なくとも、隣接する複数の（図２の例では３個の）ＢＢＵ間例えばＢＢＵ＃（ｉ−１）、ＢＢＵ＃ｉ、ＢＢＵ＃（ｉ＋１）の３個のＢＢＵ間において接続を切り替えることが可能である。
【００５５】
図３は、本発明の第１の実施の形態における接続切り替えモジュール３１〜３ｋの接続構成例を示す接続構成図であり、図１に示すｋ個の各接続切り替えモジュール３１〜３ｋそれぞれに図２に例示した接続切り替えモジュールを用いた場合の、ＲＲＵ−ＢＢＵ間の接続構成例を示している。図３の実施例においては、接続切り替えモジュール３１〜３ｋおよびベースバンド信号処理カード（ＢＢＵ）２１〜２ｋの個数ｋが４個（ｋ＝４）、基地局セル（ＲＲＵ）１１〜１ｎの個数ｎが１２個（ｎ＝１２）の場合を示している。
【００５６】
また、各ＢＢＵ＃１〜ＢＢＵ＃４は、基本的に（トラフィックが大きい場合を想定して）、各ＢＢＵ＃１〜ＢＢＵ＃４それぞれに対応する各接続切り替えモジュール＃１〜接続切り替えモジュール＃４それぞれに接続された３個分のＲＲＵに関する処理を行う場合を示している。つまり、ＢＢＵ＃１は、ＲＲＵ＃１〜ＲＲＵ＃３の３個分のＲＲＵ、ＢＢＵ＃２は、ＲＲＵ＃４〜ＲＲＵ＃６の３個分のＲＲＵ、ＢＢＵ＃３は、ＲＲＵ＃７〜ＲＲＵ＃９の３個分のＲＲＵ、ＢＢＵ＃４は、ＲＲＵ＃１０〜ＲＲＵ＃１２の３個分のＲＲＵの処理をそれぞれ行う。
【００５７】
そして、各ＲＲＵ＃１〜ＲＲＵ＃１２は、ベースバンド処理プール（ＢＢＵ−pool）２０のＢＢＵ＃１〜ＢＢＵ＃４のうち、各ＲＲＵ＃１〜ＲＲＵ＃１２ごとにあらかじめ定めた互いに隣接するＢＢＵのいずれかに限定して接続することが可能である。すなわち、各ＲＲＵ＃１〜ＲＲＵ＃１２は、それぞれのＲＲＵが接続された接続切り替えモジュール＃１〜接続切り替えモジュール＃４それぞれに対応して接続されたＢＢＵ＃１〜ＢＢＵ＃４それぞれを中心にして、少なくとも両側に隣接する２つのＢＢＵも含めた合計３つのＢＢＵのいずれかに選択接続することが可能である。例えば、図３のＲＲＵ＃４の場合は、接続切り替えモジュール＃２に接続されているが、対応して接続されたＢＢＵ＃２を中心にして、両側に隣接するＢＢＵ＃１、ＢＢＵ＃３を含め、３つのＢＢＵ（ＢＢＵ＃１、ＢＢＵ＃２，ＢＢＵ＃３）のいずれでも選択して接続することが可能である。
【００５８】
そして、例えば、トラフィックが小さい場合には、４つのＢＢＵ＃１〜ＢＢＵ＃４のうち、任意のＢＢＵ例えばＢＢＵ＃２は、当該ＢＢＵ＃２が対応して接続される接続切り替えモジュール＃２を中心にして、隣接する接続切り替えモジュール＃１、接続切り替えモジュール＃３を含め、３つの接続切り替えモジュール（接続切り替えモジュール＃１、接続切り替えモジュール＃２、接続切り替えモジュール＃３）に接続された最大９個のＲＲＵを接続して処理することが可能な構成とされている。
【００５９】
つまり、例えば、ＢＢＵ＃２の場合には、当該ＢＢＵ＃２に接続されたＲＲＵ＃４〜ＲＲＵ＃６の３個分、および、両隣の接続切り替えモジュール＃１と接続切り替えモジュール＃３とのそれぞれに接続されたＲＲＵ＃１〜ＲＲＵ＃３の３個分とＲＲＵ＃７〜ＲＲＵ＃９の３個分を合計した最大９個のＲＲＵ＃１〜＃９を接続して処理することが可能である。
【００６０】
次に、図１に示したように、無線基地局装置１００は、各ＢＢＵにおける処理リソース共有を実施するために、トラフィック予測部５２（トラフィック予測機能）によるトラフィック予測結果に基づいて、ｋ個の各ベースバンド信号処理カード（ＢＢＵ）２１〜２ｋへのｎ個の基地局セル（ＲＲＵ）１１〜１ｎの処理リソース割り当てを行う処理リソース割り当て制御部５１を備えている。
【００６１】
トラフィック予測部５２は、あらかじめ定めた或る一定の時間間隔ごとに、日々のトラフィックデータが蓄積されたトラフィックデータベース（各時間間隔ごとの日々のトラフィックの平均値）や、当日のトラフィック履歴（各時間間隔ごとの当日のトラフィックの実績値）などを用いて、ｎ個の基地局セル（ＲＲＵ）１１〜１ｎごとに、次の前記一定の時間間隔分のトラフィック予測を行う。
【００６２】
また、処理リソース割り当て制御部５１は、トラフィック予測部５２において予測されたトラフィックに基づいて、ｋ個の各ベースバンド信号処理カード（ＢＢＵ）２１〜２ｋそれぞれに対するｎ個の各基地局セル（ＲＲＵ）１１〜１ｎの処理リソース割り当ての制御を行う。該処理リソース割り当て制御の目的は、低消費電力化を実現するために、処理リソース共有により、できるだけ少ない個数のＢＢＵだけを稼動させ、稼動ＯＦＦにすることができるＢＢＵ数をできるだけ増やすことにある。
【００６３】
次に、低消費電力化を実現するために処理リソース割り当て制御部５１において実施される基地局セル処理リソース割り当ての制御方法の一例について、図４、図６、図７の各制御フローチャートおよび図５の説明図を用いて説明する。図４は、本発明の第１の実施の形態における処理リソース割り当て制御に関する全体の処理手順の一例を説明するための制御フローチャートである。
【００６４】
本発明の第１の実施の形態における処理リソース割り当て制御においては、図４の制御フローチャートに示すように、最初に、トラフィック予測部５２によるトラフィック予測結果と、現在点におけるｋ個の各ベースバンド信号処理カード（ＢＢＵ）２１〜２ｋの稼動状態とから、処理リソース割り当て制御部５１は、次に稼動ＯＦＦにしたい（すなわち、稼動をオフ状態に設定しようとする）ベースバンド信号処理カード（ＢＢＵ）の順番をあらかじめ決定する（ステップＳ１）。稼動ＯＦＦにしたいベースバンド信号処理カード（ＢＢＵ）の順番を決定したら、次に、処理リソース割り当て制御を行うベースバンド信号処理カード（ＢＢＵ）の順番もあらかじめ決定する（ステップＳ２）。例えば、処理リソース割り当て制御を行うベースバンド信号処理カード（ＢＢＵ）の順番として、次に稼動をＯＦＦにしたいベースバンド信号処理カード（ＢＢＵ）から離れたベースバンド信号処理カード（ＢＢＵ）を優先するように設定する。
【００６５】
ここで、ステップＳ１およびＳ２の処理を行う理由は、本発明の第１の実施の形態においては、無線基地局装置１００の拡張性を向上させるために、基地局セル（ＲＲＵ）−ベースバンド信号処理カード（ＢＢＵ）間の一部の接続を限定するような接続切り替え制御部３０を用いているので、或る特定のＲＲＵから接続することができないＢＢＵへの処理リソース割り当てが行われてしまうことをあらかじめ防止する必要があるためである。
【００６６】
図５は、本発明の第１の実施の形態における処理リソース割り当て制御において次に稼動ＯＦＦにしたい（すなわち、稼動をオフ状態に設定しようとする）ベースバンド信号処理カード（ＢＢＵ）２１〜２ｋの順番を決定する仕組みの一例を説明するための説明図であるが、図４の制御フローチャートのステップＳ１の処理（次に稼動ＯＦＦにしたいベースバンド信号処理カード（ＢＢＵ）の決定方法）の詳細な仕組みのみならず、さらには、ステップＳ２の処理（処理リソース割り当て制御を行うベースバンド信号処理カード（ＢＢＵ）の決定方法）の詳細な仕組みについてもその一例を説明している。なお、図５の説明図においては、ベースバンド処理プール（ＢＢＵ−pool）２０のベースバンド信号処理カード（ＢＢＵ）の個数を、ＢＢＵ＃１〜ＢＢＵ＃８の８個、対応する接続切り替え制御部３０の接続切り替えモジュールの個数も接続切り替えモジュール＃１〜接続切り替えモジュール＃８の８個とし、一方、基地局セル無線部（ＲＲＵ）１０の基地局セル（ＲＲＵ）の個数を、ＲＲＵ＃１〜ＲＲＵ＃２４の２４個としている場合を例示している。
【００６７】
ステップＳ１の処理（次に稼動ＯＦＦにしたいベースバンド信号処理カード（ＢＢＵ）の決定方法）においては、処理リソース割り当て制御部５１は、トラフィック予測部５２によって予測されたトラフィック量に応じて、基本的には、２のべき乗の間隔ごとに、稼動ＯＦＦにしたい（すなわち、稼動をオフ状態に設定しようとする）ベースバンド信号処理カード（ＢＢＵ）を設定する。
【００６８】
すなわち、例えば、図５（Ａ）に示すように、トラフィックが大きい場合には、８個（＝２３個）間隔で、稼動ＯＦＦにしたいＢＢＵを設定する（図５の例の場合には、８個のＢＢＵのうち例えばＢＢＵ＃４の１個のＢＢＵを設定する）。また、図５（Ｂ）に示すように、トラフィックが中程度の場合には、４個（＝２２個）間隔で、稼動ＯＦＦにしたいＢＢＵを設定する（図５の例の場合には、８個のＢＢＵのうち例えばＢＢＵ＃４とＢＢＵ＃８との２個のＢＢＵを設定する）。また、図５（Ｃ）に示すように、トラフィックが小さい場合には、２個（＝２１個）間隔で、稼動ＯＦＦにしたいＢＢＵを設定する（図５の例の場合には、８個のＢＢＵのうち例えばＢＢＵ＃２とＢＢＵ＃４とＢＢＵ＃６とＢＢＵ＃８との４個のＢＢＵを設定する）。
【００６９】
さらに、トラフィック予測時点における各ベースバンド信号処理カード（ＢＢＵ）の稼動状態として、図５（Ａ）の「トラフィック大」に記載のＢＢＵ稼動状態（８個のＢＢＵのうち例えばＢＢＵ＃４または他のいずれか１つのＢＢＵが稼動ＯＦＦの状態）を実現できている場合には、次に、図５（Ｂ）の「トラフィック中」に記載のＢＢＵ稼動状態（８個のＢＢＵのうち例えばＢＢＵ＃４、ＢＢＵ＃８の２つまたは４個間隔で他のいずれか２つのＢＢＵを稼動ＯＦＦにする状態）を目指して処理リソース割り当て制御を行う。すなわち、例えば、図５（Ａ）に示すように、ＢＢＵ＃４の１つのＢＢＵが稼動ＯＦＦの状態にあった場合には、図５（Ｂ）の「Ｌｏｗ」に示すように、その次に追加してＢＢＵ ＃８も稼動ＯＦＦにすることを目指す。
【００７０】
また、トラフィック予測時点におけるベースバンド信号処理カード（ＢＢＵ）の稼動状態として、図５（Ｂ）の「トラフィック中」のＢＢＵ稼動状態を既に実現できている場合には、次に、図５（Ｃ）の「トラフィック小」に記載のＢＢＵ稼動状態（８個のＢＢＵのうち例えばＢＢＵ＃２、ＢＢＵ＃４、ＢＢＵ＃６、ＢＢＵ＃８の４つまたは２個間隔で他のいずれか４つのＢＢＵを稼動ＯＦＦにする状態）を目指して処理リソース割り当て制御を行う。すなわち、例えば、図５（Ｂ）に示すように、ＢＢＵ＃４、＃８の２つのＢＢＵが稼動ＯＦＦの状態にあった場合には、図５（Ｃ）の「Ｌｏｗ」に示すように、その次に追加してＢＢＵ＃２、＃６も稼動ＯＦＦにすることを目指す。
【００７１】
次に、ステップＳ２の処理（処理リソース割り当て制御を行うベースバンド信号処理カード（ＢＢＵ）の決定方法）の仕組みについて、図５を参照しながら説明する。処理リソース割り当て制御部５１は、処理リソース割り当て制御を行うベースバンド信号処理カード（ＢＢＵ）の選択順として、稼動ＯＦＦにしたいＢＢＵ（既に稼動ＯＦＦの状態にあるＢＢＵも含む）からできるだけ遠く離れたＢＢＵから順番に優先的に処理リソース割り当て制御を行う。ここで、稼動ＯＦＦにしたい（すなわち、稼動をオフ状態に設定しようとする）ＢＢＵおよび既に稼動ＯＦＦ状態のＢＢＵが複数存在する場合には、該当するＢＢＵの中間に位置するＢＢＵから順番に処理リソース割り当て制御を行う。
【００７２】
例えば、トラフィック予測部５２においてトラフィックが大きいと予測され、図５（Ａ）の「トラフィック大」に記載のように、８個のＢＢＵのうち例えばＢＢＵ＃４を次に稼動ＯＦＦにしたいＢＢＵとして決定した場合、または、ＢＢＵ＃４を稼動ＯＦＦの状態に既に設定していた場合には、図５（Ａ）の「Ｈｉｇｈ１」に示すように、当該ＢＢＵ＃４から距離的に最も離れているＢＢＵ＃８から順番に優先的に処理リソース割り当て制御を行う。また、トラフィックが中程度と予測され、図５（Ｂ）の「トラフィック中」に記載のように、８個のＢＢＵのうち例えばＢＢＵ＃４とＢＢＵ＃８とを次に稼動ＯＦＦにしたいＢＢＵとして決定した場合、または、ＢＢＵ＃４とＢＢＵ＃８とを稼動ＯＦＦの状態に既に設定していた場合には、図５（Ｂ）の「Ｈｉｇｈ１」に示すように、当該ＢＢＵ＃４およびＢＢＵ＃８から距離的に最も離れたＢＢＵすなわち当該ＢＢＵ＃４およびＢＢＵ＃８の中間に位置するＢＢＵとなるＢＢＵ＃２や＃６から順番に優先的に処理リソース割り当て制御を行う。
【００７３】
なお、図５（Ｂ）の「トラフィック中」に記載のように、稼動ＯＦＦにしたいＢＢＵおよび既に稼動ＯＦＦ状態のＢＢＵが複数存在する場合に、複数の当該ＢＢＵから距離的に同じ程度離れたＢＢＵが複数存在している場合には、同じ程度離れた複数のＢＢＵのうち、いずれのＢＢＵから順番に優先的に処理リソース割り当て制御を行うようにしても良い。また、図５（Ａ）の「トラフィック大」の場合において、ＢＢＵ＃８の次に優先的に処理リソース割り当て制御を行うＢＢＵとして、ＢＢＵ＃１とＢＢＵ＃７とがＢＢＵ＃４からの距離が同じ程度であった場合には、ＢＢＵ＃８の次の優先順としてＢＢＵ＃１、ＢＢＵ＃７のいずれを選択しても構わない。
【００７４】
次に、図４の制御フローチャートの説明に戻って、ステップＳ３以降の各ステップについて説明する。図４の制御フローチャートに示すように、ステップＳ２において決定したＢＢＵの処理リソース割り当て制御の制御順にしたがって、優先順の高いＢＢＵから順番に、以下に説明するような処理リソース使用率に関する閾値判定を行う処理を繰り返す。まず、順番に選択した対象ＢＢＵに関して、現時点において割り当てられている全ＲＲＵのトラフィック予測値から処理リソース使用率を算出し、あらかじめ定めた上限値である閾値Ａとの閾値判定を行う（ステップＳ３）。対象ＢＢＵの処理リソース使用率が、上限値である閾値Ａを超えていた場合には（ステップＳ３のＹｅｓ）、処理リソース不足となる懸念があるため、詳細を後述の図６において説明する割り当て制御処理Ａ（proc.Ａ）を実行して（ステップＳ５）、対象ＢＢＵに既に割り当てられているいずれかのＲＲＵ処理を他のＢＢＵに移動させることが可能か否かを判定して、他のＢＢＵにおいて処理可能と判定した場合には、処理可能と判定した他のＢＢＵに当該ＲＲＵ処理を移動させる処理を実行する。
【００７５】
また、対象ＢＢＵの処理リソース使用率が、上限値である閾値Ａを超えていない場合には（ステップＳ３のＮｏ）、次に、あらかじめ定めた下限値である閾値Ｂとの閾値判定を行う（ステップＳ４）。対象ＢＢＵの処理リソース使用率が、下限値である閾値Ｂを下回っていた場合には（ステップＳ４のＹｅｓ）、対象ＢＢＵで他のＲＲＵ処理を実行することが可能な処理能力マージンがまだ残っていることを意味するため、詳細を後述の図７において説明する割り当て制御処理Ｂ（proc.Ｂ）を実行して（ステップＳ６）、対象ＢＢＵ以外のＢＢＵに割り当てられているＲＲＵ処理であって、まだ、今回の割り当てが決まっていないＲＲＵ処理について、当該対象ＢＢＵにおいて処理することが可能か否かを判定して、処理可能と判定した場合には、該当するＲＲＵ処理を当該対象ＢＢＵに割り当てる処理を実行する。
【００７６】
そして、図４の制御フローチャートにおいて、ステップＳ３〜ステップＳ６に示すＢＢＵの処理リソース使用率に関する閾値判定処理、割り当て制御処理Ａ（proc.Ａ）や割り当て制御処理Ｂ（proc.Ｂ）の処理を、ステップＳ２において決定したＢＢＵ順に全てのＢＢＵについて順番に繰り返して実施し、全てのＢＢＵについて処理リソース割り当てが決定したところで、１回分の処理リソース割り当て制御が完了となる。
【００７７】
次に、前述した割り当て制御処理Ａ（proc.Ａ）の処理の詳細を、図６の制御フローチャートを用いて説明する。図６は、本発明の第１の実施の形態における処理リソース割り当て制御においてベースバンド信号処理カード（ＢＢＵ）の基地局セル（ＲＲＵ）処理を他のベースバンド信号処理カード（ＢＢＵ）に移動させる処理の一例を示す制御フローチャートであり、図４に示したように、対象ＢＢＵの処理リソース使用率があらかじめ定めた上限値である閾値Ａを超えていた場合に、対象ＢＢＵに割り当てられているＲＲＵ処理のうち、いずれかのＲＲＵ処理を他のＢＢＵに移動させる割り当て制御処理Ａ（proc.Ａ）の処理内容の一例を示している。
【００７８】
図６に示す制御フローチャートにおいて、まず、接続切り替え制御部３０の限定接続機能により、任意のＲＲＵから接続することができないＢＢＵへの当該ＲＲＵに関するＲＲＵ処理リソース割り当て制御を防止するために、対象ＢＢＵに割り当てられているＲＲＵのうち、ＲＲＵ処理を移動させる候補とするＲＲＵの優先順を決定する（ステップＡ１）。ここで、ＲＲＵ処理を移動させる候補とするＲＲＵの優先順は、図１に示した接続情報格納部５３に格納されているＲＲＵ−ＢＢＵ間の接続情報などを基にして、例えば、対象ＢＢＵからの接続距離が遠くにあるＲＲＵから順番の優先順に設定する。そして、ステップＡ１において決定した優先順にしたがって、対象ＢＢＵの処理リソース使用率が、上限値である閾値Ａを下回る状態になるまで、以下のＲＲＵ処理割り当て制御を繰り返す。
【００７９】
まず、優先順にしたがって選択されたＲＲＵに関して、当該ＲＲＵを接続可能なＢＢＵとして、当該ＲＲＵ周辺において既に稼動しているＢＢＵに対して当該ＲＲＵ処理割り当てが可能か否かを判定する（ステップＡ２）。当該ＲＲＵ周辺の稼動ＢＢＵに対して当該ＲＲＵ処理割り当てが可能な場合、すなわち、該稼動ＢＢＵに当該ＲＲＵ処理を新たに割り当てても、該稼動ＢＢＵのリソース使用率が上限である閾値Ａを超えない場合は（ステップＡ２のＹｅｓ）、当該ＲＲＵ周辺の該稼動ＢＢＵに当該ＲＲＵ処理を移動させる（ステップＡ６）。
【００８０】
一方、当該ＲＲＵ周辺の稼動ＢＢＵに対して当該ＲＲＵ処理割り当てが不可能な場合には（ステップＡ２のＮｏ）、次に、当該ＲＲＵを接続可能なＢＢＵとして、当該ＲＲＵ周辺においてその時点で稼動ＯＦＦとなっているＢＢＵに対して当該ＲＲＵ処理割り当てが可能か否かを判定する（ステップＡ３）。当該ＲＲＵ周辺の稼動ＯＦＦ状態のＢＢＵに対して当該ＲＲＵ処理割り当てが可能な場合は（ステップＡ３のＹｅｓ）、当該ＲＲＵ周辺の稼動ＯＦＦ状態のＢＢＵに当該ＲＲＵ処理を移動させる（つまり、当該ＢＢＵを稼動ＯＮにする）（ステップＡ７）。
【００８１】
一方、当該ＲＲＵ周辺の稼動ＯＦＦ状態のＢＢＵ、稼動ＢＢＵのいずれにも当該処理割り当てが不可能な場合には（ステップＡ３のＮｏ）、まだ処理割り当てが決まっていない接続可能なＢＢＵのうち、当該ＲＲＵの最も近傍に位置するＢＢＵに、たとえ、処理リソース使用率が上限値である閾値Ａを超えていたとしても、当該ＲＲＵ処理を移動させる（ステップＡ４）。ここで、ステップＡ４の処理は、任意のＲＲＵから接続することができないＢＢＵへの処理リソース割り当てを防止するための処理である。
【００８２】
ステップＡ４、Ａ６、Ａ７の移動処理を実施した後は、移動候補であった当該ＲＲＵ処理を、当該ＲＲＵ処理割り当てが可能ないずれかのＢＢＵに移動させた結果として、対象ＢＢＵの処理リソース使用状況が変化することになるため、当該対象ＢＢＵの処理リソース使用率をあらかじめ定めた上限値である閾値Ａと比較する閾値判定処理を再度行う（ステップＡ５）。当該対象ＢＢＵの処理リソース使用率が上限値である閾値Ａをまだ超えている場合には（ステップＡ５のＮｏ）、ステップＡ１において決定した優先順にしたがって、次の優先順である他のＲＲＵについて、ステップＡ２〜Ａ４、Ａ６、Ａ７の処理を繰り返す。
【００８３】
一方、当該対象ＢＢＵの処理リソース使用率が閾値Ａ以下であった場合には（ステップＡ５のＹｅｓ）、当該対象ＢＢＵについてＲＲＵ処理の処理リソース割り当てを決定して（ステップＡ８）、当該対象ＢＢＵについての処理リソース割り当て制御を完了する。
【００８４】
次に、前述した割り当て制御処理Ｂ（proc.Ｂ）の処理の詳細を、図７の制御フローチャートを用いて説明する。図７は、本発明の第１の実施の形態における処理リソース割り当て制御においてベースバンド信号処理カード（ＢＢＵ）に対して割り当て未決定の基地局セル（ＲＲＵ）処理を割り当てる処理の一例を示す制御フローチャートであり、図４に示したように、対象ＢＢＵの処理リソース使用率があらかじめ定めた下限値である閾値Ｂを下回っていた場合に、対象ＢＢＵを含め、ＢＢＵに対する処理割り当てがまだ未決定のいずれかのＲＲＵ処理を対象ＢＢＵに割り当てることが可能か否かを判定し、割り当てが可能な場合には、該ＲＲＵ処理を対象ＢＢＵに割り当てる割り当て制御処理Ｂ（proc.Ｂ）の処理内容の一例を示している。
【００８５】
図７に示す制御フローチャートにおいて、まず、図６の場合と同様、接続切り替え制御部３０の限定接続機能により、任意のＲＲＵから接続することができないＢＢＵへの当該ＲＲＵに関するＲＲＵ処理の処理リソース割り当て制御を防止するために、対象ＢＢＵも含め、ＢＢＵに対する処理割り当てがまだ未決定のＲＲＵ処理のうち、ＲＲＵ処理を割り当てる候補とするＲＲＵの優先順を決定する（ステップＢ１）。ここで、ＲＲＵ処理を割り当てる候補とするＲＲＵの優先順は、図１に示した接続情報格納部５３に格納されているＲＲＵ−ＢＢＵ間の接続情報などを基にして、例えば、対象ＢＢＵからの接続距離が近くにあるＲＲＵから順番の優先順に設定する。そして、ステップＢ１において決定した優先順にしたがって、対象ＢＢＵの処理リソース使用率が、下限値である閾値Ｂを上回る状態になるまで、以下のＲＲＵ処理割り当て制御を繰り返す。
【００８６】
まず、優先順に従って選択されたＲＲＵに関して、当該ＲＲＵを接続可能な対象ＢＢＵに対して当該ＲＲＵ処理割り当てが可能か否かを判定する（ステップＢ２）。対象ＢＢＵに対して当該ＲＲＵ処理割り当てが可能な場合、すなわち、該対象ＢＢＵに当該ＲＲＵ処理を新たに割り当てても、該対象ＢＢＵのリソース使用率が上限である閾値Ａを超えない場合は（ステップＢ２のＹｅｓ）、該対象ＢＢＵに当該ＲＲＵ処理を移動させて、該対象ＢＢＵに当該ＲＲＵ処理を割り当てる（ステップＢ３）。
【００８７】
ここで、該対象ＢＢＵに当該ＲＲＵ処理を移動させて割り当てても、該対象ＢＢＵのリソース使用率が下限値である閾値Ｂ以上にまだ達しなかった場合には（ステップＢ４のＮｏ）、あるいは、ステップＢ２において該対象ＢＢＵのリソース使用率が上限である閾値Ａを超えて、該対象ＢＢＵに対して当該ＲＲＵ処理割り当てが不可能な場合には（ステップＢ２のＮｏ）、ステップＢ１において決定した優先順にしたがって、次の優先順である他のＲＲＵについて、ステップＢ２〜Ｂ４の処理を繰り返す。
【００８８】
一方、該対象ＢＢＵに当該ＲＲＵ処理を移動させると、該対象ＢＢＵのリソース使用率が下限値である閾値Ｂ以上になった場合（ステップＢ４のＮｏ）、あるいは、全候補ＲＲＵについて処理リソース割り当て制御が終了した場合は、該対象ＢＢＵについてのＲＲＵ処理リソース割り当てを決定して（ステップＢ５）、該対象ＢＢＵについて処理リソース割り当て制御を完了する。
【００８９】
以上に詳細に説明したように、本発明の第１の実施の形態においては、ＲＲＵ−ＢＢＵ間の接続切り替え制御を行う接続切り替え制御部３０として、隣接する接続切り替えモジュール間の相互接続インタフェースを有する接続切り替えモジュール３１〜３ｋを１ないし複数並べる構成にして、ＲＲＵからの接続関係を、ベースバンド処理プール（ＢＢＵ−pool）２０内の全てのベースバンド信号処理カード（ＢＢＵ）２１〜２ｋではなく、隣接するＢＢＵのみに限定したことにより、接続切り替え制御部３０の回路規模の膨大化を防止することが可能である。
【００９０】
すなわち、ＲＲＵ−ＢＢＵ間の全ての接続組み合わせを実現する理想的な接続切り替え制御部の場合には、接続切り替え制御部として「ＲＲＵ数×ＢＢＵ数」というそれぞれの個数の乗算に比例する規模が必要となる。一方、本発明の第１の実施の形態においては、接続切り替え制御部３０の規模を「接続ＲＲＵ数（図２に示した例においては９個）×ＢＢＵ数」に比例する規模に制限することができ、接続切り替え制御部をＢＢＵ数にほぼ線形な回路規模に抑えることができる。したがって、本発明の第１の実施の形態においては、トラフィックの増大化に伴って、ＲＲＵやＢＢＵを増強しようとした場合に、接続切り替えモジュールもＢＢＵ数に応じてほぼ線形に拡張することが可能であり、高い拡張性を確保することができるという利点が得られる。
【００９１】
また、拡張性向上のために、前述のように、ＲＲＵ−ＢＢＵ間の接続関係を限定した構成であっても、本発明の第１の実施の形態においては、稼動ＯＦＦにしたい（すなわち、稼動をオフ状態に設定しようとする）ＢＢＵをあらかじめ決定しておき、かかる稼動ＯＦＦ対象のＢＢＵから距離的に離れた位置にあるＢＢＵから順番に優先的に処理リソース割り当て制御を行う基地局セル処理リソース割り当て方法を採用している。さらに、本発明の第１の実施の形態においては、対象ＢＢＵの処理リソース使用率があらかじめ定めた上限値の閾値Ａを超える場合には、対象ＢＢＵから接続距離が離れた位置にあるＲＲＵから順番に優先的にＲＲＵ処理の他のＢＢＵへの転出制御を行い、また、対象ＢＢＵの処理リソース使用率があらかじめ定めた下限値の閾値Ｂを下回る場合には、対象ＢＢＵに接続距離が近い位置にあるＲＲＵから順番に優先的にＲＲＵ処理の転入制御を行うような基地局セル処理リソース割り当て方法を採用している。
【００９２】
而して、ＲＲＵ−ＢＢＵ間の接続関係を限定した構成であっても、ＲＲＵ−ＢＢＵ間を全ての接続組み合わせで接続することが可能な理想的な接続切り替え制御部を用いた場合とほぼ同等の処理リソース共有（並びに低消費電力化）を実現することが可能であるという利点が得られる。その理由は、本発明の第１の実施の形態における基地局セル処理リソース割り当て方法として、任意のＢＢＵに対してできるだけ接続距離が近いＲＲＵから順番にＲＲＵ処理リソースを割り当てる仕組みを採用しているためであり、任意のＲＲＵに関するＲＲＵ処理を接続関係がないＢＢＵに対して割り当てるような状況が生じることを未然に防止することが可能な仕組みを実現しているためである。
【００９３】
（第２の実施の形態の構成例）
次に、本発明の第２の実施の形態における無線基地局装置の構成例について、図８を参照しながら説明する。図８は、本発明の第２の実施の形態における無線基地局装置の全体構成例を示すブロック構成図であり、無線基地局装置として、第１の実施の形態の図１の場合と同様、無線信号処理を集約化してその処理リソースを共有する無線基地局装置の全体構成例を示している。ただし、本第２の実施の形態の図８に示す無線基地局装置１０１においては、第１の実施の形態の図１の場合の接続切り替え制御部３０の構成とは異なり、各接続切り替えモジュール４１〜４ｋを最後の接続切り替えモジュール４ｋと先頭の接続切り替えモジュール４１との間も含めリング状に相互に接続可能な構成にし、さらに、各基地局セル（ＲＲＵ）を、隣接する５つのベースバンド信号処理カード（ＢＢＵ）に対して接続可能な構成にしている。
【００９４】
図８に示す無線基地局装置１０１は、第１の実施の形態の図１の場合と同様、ｎ（ｎ：自然数）個の基地局セル（ＲＲＵ：Remote  Radio  Unitリモート無線ユニット）１１〜１ｎの各無線通信処理を集約して実施するベースバンド処理プール（ＢＢＵ−pool）２０を備え、ベースバンド処理プール（ＢＢＵ−pool）２０内にはｋ（ｋ：自然数、ｋ≦ｎ）個のベースバンド信号処理カード（ＢＢＵ：Base  Band  Unitベースバンド信号処理モジュール）２１〜２ｋを備える。ベースバンド処理プール（ＢＢＵ−pool）２０内のｋ個（１個ないし複数個）のベースバンド信号処理カード（ＢＢＵ）２１〜２ｋそれぞれは、ｎ個の基地局セル（ＲＲＵ）１１〜１ｎ間における処理リソースの共有を行いながら、例えばＬＴＥ−Advancedなどの無線方式のLayer−１処理（ベースバンド信号処理）等を行う。
【００９５】
また、第１の実施の形態の図１の場合と同様、ｋ個（１個ないし複数個）のベースバンド信号処理カード（ＢＢＵ）２１〜２ｋそれぞれのＲＦ（Radio  Frequency：無線）部側は、接続切り替え制御部４０を介して、光ファイバや無線バックホール（フロントホール）などにより、各基地局セル（ＲＲＵ）１１〜１ｎと接続される。ここで、ベースバンド処理プール（ＢＢＵ−pool）２０において処理する無線方式は、ＬＴＥ−Advanced以外の無線方式であっても何ら問題はないし、また、処理するレイヤについてもLayer−１以外のLayer−２等の処理であっても特に問題はない。
【００９６】
また、無線基地局装置１０１は、第１の実施の形態の図１の場合と同様、ベースバンド処理プール（ＢＢＵ−pool）２０内のｋ個のベースバンド信号処理カード（ＢＢＵ）２１〜２ｋに対する処理リソース割り当て制御用に、処理リソース割り当て制御部５１、トラフィック予測部５２、接続情報格納部５３等も備えている。
【００９７】
なお、接続切り替え制御部４０は、第１の実施の形態の図１の場合の接続切り替え制御部３０と同様に、ｋ個の接続切り替えモジュール４１〜４ｋを並べて（連接して）構成し、各接続切り替えモジュール４１〜４ｋは、それぞれ、１つまたは複数の基地局セル（ＲＲＵ）１１〜１ｎと１つまたは複数のベースバンド信号処理カード（ＢＢＵ）２１〜２ｋとの間の接続を行うことが可能あり、かつ、隣接する接続切り替えモジュールとの間の相互接続が可能な構成としている。
【００９８】
しかし、接続切り替え制御部４０は、第１の実施の形態の図１の場合の接続切り替え制御部３０とは異なり、最後の接続切り替えモジュール４ｋと先頭の接続切り替えモジュール４１との間でも相互接続可能なリング型の接続構成を採用している点に特徴がある。例えば、ｋ個の接続切り替えモジュール４１〜４ｋのうち、第ｉ（１≦ｉ≦ｋ）番目の接続切り替えモジュール４ｉは、隣接する第（ｉ−１）番目の接続切り替えモジュール４（ｉ−１）および第（ｉ＋１）番目の接続切り替えモジュール４（ｉ＋１）と相互に接続することが可能であるが、ｉ＝１の先頭の接続切り替えモジュール４１の場合や、ｉ＝ｋの最後の接続切り替えモジュール４ｋの場合には、リング状に隣り合う接続切り替えモジュールとして、それぞれ、最後の接続切り替えモジュール４ｋや先頭の接続切り替えモジュール４１との間も相互に接続することが可能である。
【００９９】
また、第１の実施の形態においては、ｋ個の各接続切り替えモジュール３１〜３ｋは、それぞれ、両側に隣接する１個ずつの接続切り替えモジュールとの間で相互接続することが可能であったが、本第２の実施の形態においては、相互接続個数を拡張して、両側に隣接する２個ずつの接続切り替えモジュールとの間で相互接続することが可能な構成としている。
【０１００】
したがって、本第２の実施の形態においては、ｎ個の基地局セル（ＲＲＵ）１１〜１ｎのうち、第ｉ番目の接続切り替えモジュール４ｉに接続された任意の基地局セル（ＲＲＵ）例えば第ｊ（１≦ｊ≦ｎ）番目の基地局セル（ＲＲＵ）１ｊは、当該ＲＲＵ１ｊが接続された接続切り替えモジュール４ｉに対応する第ｉ番目のＢＢＵ２ｉを中心にして、両側に隣接する２個ずつのＢＢＵ間すなわち第（ｉ−２）番目のＢＢＵ２（ｉ−２）、第（ｉ−１）番目のＢＢＵ２（ｉ−１）、第（ｉ＋１）番目のＢＢＵ２（ｉ＋１）および第（ｉ＋２）番目のＢＢＵ２（ｉ＋２）間において、接続を切り替えることが可能である。
【０１０１】
なお、第１の実施の形態にて示したような、両側に１個ずつの接続切り替えモジュールとの間で相互結合可能な構成の場合であっても、本第２の実施の形態の場合と同様に、最後の接続切り替えモジュール４ｋと先頭の接続切り替えモジュール４１との間をリング状に接続（連接）することが可能であることに留意されたい。
【０１０２】
（第２の実施の形態の動作の説明）
次に、本発明の第２の実施の形態として図８に示した無線帰途局装置１０１の動作の一例について、図９および図１０を用いて詳細に説明する。なお、図８に示した無線基地局装置１０１のベースバンド処理プール（ＢＢＵ−pool）２０内のｋ個の各ベースバンド信号処理カード（ＢＢＵ）２１〜２ｋにおいては、前述したように、第１の実施の形態と同様、ｎ個の基地局セル（ＲＲＵ）１１〜１ｎ分の、例えばＬＴＥ−AdvancedなどのLayer−１処理（ベースバンド信号処理）等の無線通信処理を集約して行っている。
【０１０３】
ｋ個のベースバンド信号処理カード（ＢＢＵ）２１〜２ｋによる処理リソースの共有により、基地局セル（ＲＲＵ）１１〜１ｎ分のそれぞれの基地局セル（ＲＲＵ）の処理を、ｋ個のベースバンド信号処理カード（ＢＢＵ）２１〜２ｋのうち、どのベースバンド信号処理カード（ＢＢＵ）で実施するかを可変とするために、各基地局セル（ＲＲＵ）１１〜１ｎと各ベースバンド信号処理カード（ＢＢＵ）２１〜２ｋとの間の接続切り替えは、接続切り替え制御部４０にて実施される。接続切り替え制御部４０にて切り替えられた各送受信信号は、光ファイバや無線バックホール（フロントホール）などを介して、互いに接続された状態になった基地局セル（ＲＲＵ）１１〜１ｎとベースバンド信号処理カード（ＢＢＵ）２１〜２ｋとの間で送受信される。
【０１０４】
ここで、本第２の実施の形態における接続切り替え制御部４０の特徴として、前述のように、隣接する両側２個ずつの接続切り替えモジュール同士を相互接続することが可能な状態になるように、隣り合う２個先まで各接続切り替えモジュール４１〜４ｋを互いに連接した構成としている。さらに、最後の接続切り替えモジュール４ｋと先頭の接続切り替えモジュール４１とを相互接続可能とするリング型の構成としている。図９は、本発明の第２の実施の形態における接続切り替えモジュール４１〜４ｋの構成例を示す模式図であり、各接続切り替えモジュール４１〜４ｋの一構成例として、第ｉ番目（１≦ｉ≦ｋ）の接続切り替えモジュール４ｉを例にとって、隣接する両側２個ずつの接続切り替えモジュールと相互接続を可能にする構成例を示している。
【０１０５】
図９に示す例においては、第１の実施の形態の図２の場合と同様、１つの接続切り替えモジュール４ｉにはＢＢＵ＃ｉの１個との間を接続するベースバンド信号処理モジュール（ＢＢＵ）用入出力インタフェース、（少なくとも）ＲＲＵ＃ｊ１、ＲＲＵ＃ｊ２、ＲＲＵ＃ｊ３（１≦ｊ１、ｊ２、ｊ３≦ｋ）の３個のＲＲＵとの間を接続する基地局セル（ＲＲＵ）用入出力インタフェース、両側に隣接する２個ずつの接続切り替えモジュール４（ｉ−２）、４（ｉ−１）、４（ｉ＋１）、４（ｉ＋２）それぞれと相互接続を行う相互接続用入出力インタフェース、を備えている場合の例を示している。すなわち、該接続切り替えモジュール４ｉに接続された第ｉ番目のＢＢＵ＃ｉの１個のみによって、トラフィックが如何に大きい場合であっても、（少なくとも）任意の３個のＲＲＵ、例えば、第ｊ１番目のＲＲＵ＃ｊ１、第ｊ２番目のＲＲＵ＃ｊ２、第ｊ３番目のＲＲＵ＃ｊ３（１≦ｊ１、ｊ２、ｊ３≦ｋ）の３個のＲＲＵを処理することができる場合を想定した構成例を示している。
【０１０６】
図９に示す構成例の場合、当該接続切り替えモジュール４ｉに接続された３個のＲＲＵ＃ｊ１、ＲＲＵ＃ｊ２、ＲＲＵ＃ｊ３からの第１ＲＲＵ入力インタフェース１が１系統、両側２個ずつの隣接接続切り替えモジュール４（ｉ−２）、４（ｉ−１）、４（ｉ＋１）および４（ｉ＋２）からの第２ＲＲＵ入力インタフェース２が４系統、ＲＲＵ＃ｊ１、ＲＲＵ＃ｊ２、ＲＲＵ＃ｊ３から両側２個ずつの隣接接続切り替えモジュール４（ｉ−２）、４（ｉ−１）、４（ｉ＋１）および４（ｉ＋２）に向けた第１ＲＲＵ出力インタフェース３が４系統、そして、第１ＲＲＵ入力インタフェース１と第２ＲＲＵ入力インタフェース２とのそれぞれからの各入力を選択調停する選択回路（図９には図示していない）等から構成される。
【０１０７】
各ベースバンド信号処理カード（ＢＢＵ）２１〜２ｋの最大処理能力にも依存するが、図９に示す実施例においては、１個のＢＢＵ例えばＢＢＵ＃ｉに最大１５個の基地局セル（ＲＲＵ）を接続して、処理することが可能である。なお、図９には、ＲＲＵ側からＢＢＵ側への信号の流れのみを図示しており、ＢＢＵ側からＲＲＵ側への逆方向の信号の流れについては記載を割愛している。しかし、実際には、ＢＢＵ側からＲＲＵ側への逆方向の信号の流れもほぼ同様に存在することに留意されたい。
【０１０８】
かくのごとく、複数の接続切り替えモジュールを並べて互いに連接して、隣接する両側２個ずつの接続切り替えモジュールと相互接続することにより、各接続切り替えモジュール例えば接続切り替えモジュール＃ｉ  ４ｉに接続された任意の基地局セル（ＲＲＵ）例えばＲＲＵ＃ｊ１は、当該ＲＲＵ＃ｊ１が接続された接続切り替えモジュール例えば接続切り替えモジュール＃ｉ  ４ｉに対応するＢＢＵ例えばＢＢＵ＃ｉを中心にして、少なくとも隣接する複数の（図９の例では４個の）ＢＢＵ間も含めた複数のＢＢＵ間例えばＢＢＵ＃（ｉ−２）、ＢＢＵ＃（ｉ−１）、ＢＢＵ＃ｉ、ＢＢＵ＃（ｉ＋１）、ＢＢＵ＃（ｉ＋２）の５個のＢＢＵ間において接続を切り替えることが可能である。
【０１０９】
図１０は、本発明の第２の実施の形態における接続切り替えモジュール４１〜４ｋの接続構成例と、次に稼動ＯＦＦにしたい（すなわち、稼動をオフ状態に設定しようとする）ベースバンド信号処理カード（ＢＢＵ）の順番を決定する仕組みの一例とを説明するための説明図である。図１０の実施例においては、接続切り替え制御部４０の接続切り替えモジュール４１〜４ｋの個数ｋが、接続切り替えモジュール＃１〜接続切り替えモジュール＃８の８個（ｋ＝８）、および、対応して接続するベースバンド処理プール（ＢＢＵ−pool）２０のベースバンド信号処理カード（ＢＢＵ）２１〜２ｋの個数ｋも、ＢＢＵ＃１〜ＢＢＵ＃８の８個（ｋ＝８）とし、一方、基地局セル（ＲＲＵ）１１〜１ｎの個数ｎを、ＲＲＵ＃１〜ＲＲＵ＃２４の２４個（ｎ＝２４）とし、かつ、８個の各接続切り替えモジュール４１〜４８それぞれには図９に例示した接続切り替えモジュールを用いている場合を示している。
【０１１０】
また、各ＢＢＵ＃１〜ＢＢＵ＃８は、基本的に（トラフィックが大きい場合を想定して）、各ＢＢＵ＃１〜ＢＢＵ＃８それぞれに対応する各接続切り替えモジュール＃１〜接続切り替えモジュール＃８それぞれに接続された３個分のＲＲＵに関する処理を行う場合を示している。つまり、ＢＢＵ＃１は、ＲＲＵ＃１〜ＲＲＵ＃３の３個分のＲＲＵ、ＢＢＵ＃２は、ＲＲＵ＃４〜ＲＲＵ＃６の３個分のＲＲＵ、…、ＢＢＵ＃７は、ＲＲＵ＃１９〜ＲＲＵ＃２１の３個分のＲＲＵ、ＢＢＵ＃８は、ＲＲＵ＃２２〜ＲＲＵ＃２４の３個分のＲＲＵの処理をそれぞれ行う。
【０１１１】
そして、各ＲＲＵ＃１〜ＲＲＵ＃２４は、ベースバンド処理プール（ＢＢＵ−pool）２０のＢＢＵ＃１〜ＢＢＵ＃８のうち、各ＲＲＵ＃１〜ＲＲＵ＃２４ごとにあらかじめ定めた互いに隣接ずるＢＢＵのいずれかに限定して接続することが可能である。すなわち、各ＲＲＵ＃１〜ＲＲＵ＃２４は、それぞれのＲＲＵが接続された接続切り替えモジュール＃１〜接続切り替えモジュール＃８それぞれに対応して接続されたＢＢＵ＃１〜ＢＢＵ＃８それぞれを中心にして、少なくとも両側に隣接する４つのＢＢＵも含めた合計５つのＢＢＵのいずれかに選択接続することが可能である。例えば、図１０のＲＲＵ＃４の場合は、接続切り替えモジュール＃２に接続されているが、対応して接続されたＢＢＵ＃２を中心にして、リング状に隣接する両側２つずつのＢＢＵ＃８、ＢＢＵ＃１、ＢＢＵ＃３、ＢＢＵ＃４を含め、５つのＢＢＵ（ＢＢＵ＃８、ＢＢＵ＃１、ＢＢＵ＃２，ＢＢＵ＃３、ＢＢＵ＃４）のいずれでも選択して接続することが可能である。
【０１１２】
そして、例えば、トラフィックが小さい場合には、８つのＢＢＵ＃１〜ＢＢＵ＃８のうち、任意のＢＢＵ例えばＢＢＵ＃２は、当該ＢＢＵ＃２が対応して接続される接続切り替えモジュール＃２を中心にして、リング状に隣接する接続切り替えモジュール＃８、接続切り替えモジュール＃１、接続切り替えモジュール＃３、接続切り替えモジュール＃４を含め、５つの接続切り替えモジュール（接続切り替えモジュール＃８、接続切り替えモジュール＃１、接続切り替えモジュール＃２、接続切り替えモジュール＃３、接続切り替えモジュール＃４）に接続された最大１５個のＲＲＵを接続して処理することが可能な構成とされている。
【０１１３】
つまり、例えば、ＢＢＵ＃２の場合には、当該ＢＢＵ＃２に接続されたＲＲＵ＃４〜ＲＲＵ＃６の３個分、および、両隣の接続切り替えモジュール＃１と接続切り替えモジュール＃３とのそれぞれに接続されたＲＲＵ＃１〜ＲＲＵ＃３の３個分とＲＲＵ＃７〜ＲＲＵ＃９の３個分、さらに、リング状に２つ先の隣になる接続切り替えモジュール＃８と接続切り替えモジュール＃４とのそれぞれに接続されたＲＲＵ＃２２〜ＲＲＵ＃２４の３個分とＲＲＵ＃１０〜ＲＲＵ＃１２の３個分を合計した最大１５個のＲＲＵ＃１〜＃１２、ＲＲＵ＃２２〜＃２４を接続して処理することが可能である。
【０１１４】
次に、図８に示したように、無線基地局装置１０１は、第１の実施の形態の無線基地局装置１００と同様、各ＢＢＵにおける処理リソース共有を実施するために、トラフィック予測部５２（トラフィック予測機能）によるトラフィック予測結果に基づいて、ｋ個の各ベースバンド信号処理カード（ＢＢＵ）２１〜２ｋへのｎ個の基地局セル（ＲＲＵ）１１〜１ｎの処理リソース割り当てを行う処理リソース割り当て制御部５１を備えている。
【０１１５】
トラフィック予測部５２は、あらかじめ定めた或る一定の時間間隔ごとに、日々のトラフィックデータが蓄積されたトラフィックデータベース（各時間間隔ごとの日々のトラフィックの平均値）や、当日のトラフィック履歴（各時間間隔ごとの当日のトラフィックの実績値）などを用いて、ｎ個の基地局セル（ＲＲＵ）１１〜１ｎごとに、次の前記一定の時間間隔分のトラフィック予測を行う。
【０１１６】
また、処理リソース割り当て制御部５１は、トラフィック予測部５２において予測されたトラフィックに基づいて、ｋ個の各ベースバンド信号処理カード（ＢＢＵ）２１〜２ｋそれぞれに対するｎ個の各基地局セル（ＲＲＵ）１１〜１ｎの処理リソース割り当ての制御を行う。該処理リソース割り当て制御の目的は、第１の実施の形態においても説明したように、低消費電力化を実現するために、処理リソース共有により、できるだけ少ない個数のＢＢＵだけを稼動させ、稼動ＯＦＦにすることができるＢＢＵ数をできるだけ増やすことにある。
【０１１７】
次に、本第２の実施の形態において、低消費電力化を実現するために処理リソース割り当て制御部５１において実施される処理リソース割り当ての制御の一例について、図１０の説明図を用いてさらに説明する。なお、本第２の実施の形態における処理リソース割り当て制御の全体処理手順の流れは、第１の実施の形態と基本的には同じであり、第１の実施の形態の図４の制御フローチャートに示した手順と同じである。ただし、本第２の実施の形態における特有の制御動作として、前述したように、接続切り替えモジュール４１〜４ｋの構成が、両側２個ずつの隣接する接続切り替えモジュールに相互接続が可能な構成であり、また、最後の接続切り替えモジュール４ｋと先頭の接続切り替えモジュール４１との間のリング接続も可能としているため、任意の１つのＢＢＵにおいてより多くのＲＲＵ処理の処理リソース共有が可能である点を考慮した制御となっている。
【０１１８】
したがって、例えば、第１の実施の形態として図４に示した処理リソース割り当て制御フローチャートのステップＳ１において、稼動ＯＦＦにしたいＢＢＵの順番を決定する際に、本第２の実施の形態においては、より多くの稼動ＯＦＦ対象ＢＢＵを設定することが可能である。
【０１１９】
図１０の説明図には、前述したように、本第２の実施の形態における、次に稼動ＯＦＦにしたいＢＢＵを決定する仕組みについても示している。本第２の実施の形態においては、最大で隣接する５つの接続切り替えモジュールに接続されたＲＲＵをいずれか１つのＢＢＵに選択接続することが可能な構成になっている。そのため、図１０の説明図においては、第１の実施の形態の動作を示した図５の場合の「トラフィック大」、「トラフィック中」、「トラフィック小」として記載したＢＢＵ稼動状態のケースの他に、さらに追加して、「トラフィック極小」として記載したＢＢＵ稼動状態のケースも実現することができる。
【０１２０】
なお、本第２の実施の形態においても、図４のステップＳ１の処理（次に稼動ＯＦＦにしたいＢＢＵの決定方法）において、稼動ＯＦＦにしたいＢＢＵを決定する方法については、第１の実施の形態の場合と同様に、図８の処理リソース割り当て制御部５１は、トラフィック予測部５２によって予測されたトラフィック量に応じて、基本的には、２のべき乗の間隔ごとに、稼動ＯＦＦにしたい（すなわち、稼動をオフ状態に設定しようとする）ベースバンド信号処理カード（ＢＢＵ）を選択して設定する。
【０１２１】
すなわち、例えば、図１０（Ａ）に示すように、トラフィックが大きい場合には、８個（＝２３個）間隔で、稼動ＯＦＦにしたい（すなわち、稼動をオフ状態に設定しようとする）ＢＢＵを設定する（図１０の例の場合には、８個のＢＢＵのうち例えばＢＢＵ＃４の１個を設定する）。また、図１０（Ｂ）に示すように、トラフィックが中程度の場合には、４個（＝２２個）間隔で、稼動ＯＦＦにしたいＢＢＵを設定する（図１０の例の場合には、８個のＢＢＵのうち例えばＢＢＵ＃４とＢＢＵ＃８との２個を設定する）。また、図１０（Ｃ）に示すように、トラフィックが小さい場合には、２個（＝２１個）間隔で、稼動ＯＦＦにしたいＢＢＵを設定する（図１０の例の場合には、８個のＢＢＵのうち例えばＢＢＵ＃２とＢＢＵ＃４とＢＢＵ＃６とＢＢＵ＃８との４個を設定する）。
【０１２２】
さらに、本第２の実施の形態に特有のケースとして、図１０（Ｄ）に示すように、トラフィックが極小の場合には、稼動ＯＮになるＢＢＵが４個（＝２２個）間隔になるように、稼動ＯＦＦにしたいＢＢＵを設定する（図１０の例の場合には、８個のＢＢＵのうち例えばＢＢＵ＃２とＢＢＵ＃３とＢＢＵ＃４とＢＢＵ＃６とＢＢＵ＃７とＢＢＵ＃８との６個を稼動ＯＦＦにしたいＢＢＵとして設定する）。本第２の実施の形態においてかくのごとき設定が可能になった理由は、第１の実施の形態においては、各ＲＲＵ＃１〜ＲＲＵ＃２４は、隣接する３つのＢＢＵまでしか接続することができなかったが、本第２の実施の形態においては、隣接する５つのＢＢＵまで接続することが可能な構成となったため、隣接する３つのＢＢＵを全て稼動ＯＦＦにすることができるようになったためである。
【０１２３】
さらに、トラフィック予測時点における各ベースバンド信号処理カード（ＢＢＵ）の稼動状態として、図１０（Ａ）の「トラフィック大」に記載のＢＢＵ稼動状態（８個のＢＢＵのうち例えばＢＢＵ＃４または他のいずれか１つのＢＢＵが稼動ＯＦＦの状態）を実現できている場合には、次に、図１０（Ｂ）の「トラフィック中」に記載のＢＢＵ稼動状態（８個のＢＢＵのうち例えばＢＢＵ＃４、ＢＢＵ＃８の２つまたは４個間隔で他のいずれか２つのＢＢＵを稼動ＯＦＦにする状態）を目指して処理リソース割り当て制御を行う。すなわち、例えば、図１０（Ａ）に示すように、ＢＢＵ＃４の１つのＢＢＵが稼動ＯＦＦの状態にあった場合には、図１０（Ｂ）の「Ｌｏｗ」に示すように、その次に追加してＢＢＵ＃８も稼動ＯＦＦにすることを目指す。
【０１２４】
また、トラフィック予測時点におけるベースバンド信号処理カード（ＢＢＵ）の稼動状態として、図１０（Ｂ）の「トラフィック中」のＢＢＵ稼動状態を既に実現できている場合には、次に、図１０（Ｃ）の「トラフィック小」に記載のＢＢＵ稼動状態（８個のＢＢＵのうち例えばＢＢＵ＃２、ＢＢＵ＃４、ＢＢＵ＃６、ＢＢＵ＃８の４つまたは２個間隔で他のいずれか４つのＢＢＵを稼動ＯＦＦにする状態）を目指して処理リソース割り当て制御を行う。すなわち、例えば、図１０（Ｂ）に示すように、ＢＢＵ＃４、＃８の２つのＢＢＵが稼動ＯＦＦの状態にあった場合には、図１０（Ｃ）の「Ｌｏｗ」に示すように、その次に追加してＢＢＵ＃２、ＢＢＵ＃６も稼動ＯＦＦにすることを目指す。
【０１２５】
また、トラフィック予測時点におけるベースバンド信号処理カード（ＢＢＵ）の稼動状態として、図１０（Ｃ）の「トラフィック小」のＢＢＵ稼動状態を既に実現できている場合には、次に、図１０（Ｄ）の「トラフィック極小」に記載のＢＢＵ稼動状態（８個のＢＢＵのうち稼動ＯＮのＢＢＵが４個間隔になるように他のいずれか６つのＢＢＵを稼動ＯＦＦにする状態）を目指して処理リソース割り当て制御を行う。すなわち、例えば、図１０（Ｃ）に示すように、ＢＢＵ＃２、ＢＢＵ＃４、ＢＢＵ＃６、ＢＢＵ＃８の４つのＢＢＵが稼動ＯＦＦの状態にあった場合には、図１０（Ｄ）の「Ｌｏｗ」に示すように、その次に追加してＢＢＵ＃３、ＢＢＵ＃７も稼動ＯＦＦにすることを目指す。
【０１２６】
なお、本第２の実施の形態における図４のステップＳ２の処理（処理リソース割り当て制御を行うベースバンド信号処理カード（ＢＢＵ）の決定方法）の仕組みについては、第１の実施の形態の場合と同様である。処理リソース割り当て制御部５１は、処理リソース割り当て制御を行うベースバンド信号処理カード（ＢＢＵ）の選択順として、稼動ＯＦＦにしたいＢＢＵ（既に稼動ＯＦＦの状態にあるＢＢＵも含む）からできるだけ遠く離れたＢＢＵから順番に優先的に処理リソース割り当て制御を行う。ここで、稼動ＯＦＦにしたい（すなわち、稼動をオフ状態に設定しようとする）ＢＢＵおよび既に稼動ＯＦＦ状態のＢＢＵが複数存在する場合には、該当するＢＢＵの中間に位置するＢＢＵから順番に処理リソース割り当て制御を行う。
【０１２７】
例えば、トラフィック予測部５２においてトラフィックが大きいと予測され、図１０（Ａ）の「トラフィック大」に記載のように、８個のＢＢＵのうち例えばＢＢＵ＃４を次に稼動ＯＦＦにしたいＢＢＵとして決定した場合、または、ＢＢＵ＃４を稼動ＯＦＦの状態に既に設定していた場合には、図１０（Ａ）の「Ｈｉｇｈ１」に示すように、当該ＢＢＵ＃４から距離的に最も離れているＢＢＵ＃８から順番に優先的に処理リソース割り当て制御を行う。また、トラフィックが中程度と予測され、図１０（Ｂ）の「トラフィック中」に記載のように、８個のＢＢＵのうち例えばＢＢＵ＃４とＢＢＵ＃８とを次に稼動ＯＦＦにしたいＢＢＵとして決定した場合、または、ＢＢＵ＃４とＢＢＵ＃８とを稼動ＯＦＦの状態に既に設定していた場合には、図１０（Ｂ）の「Ｈｉｇｈ１」に示すように、当該ＢＢＵ＃４およびＢＢＵ＃８から距離的に最も離れたＢＢＵすなわち当該ＢＢＵ＃４およびＢＢＵ＃８の中間に位置するＢＢＵとなるＢＢＵ＃２や＃６から順番に優先的に処理リソース割り当て制御を行う。
【０１２８】
なお、図１０（Ｂ）の「トラフィック中」に記載のように、稼動ＯＦＦにしたいＢＢＵおよび既に稼動ＯＦＦ状態のＢＢＵが複数存在する場合に、複数の当該ＢＢＵから距離的に同じ程度離れたＢＢＵが複数存在している場合には、同じ程度離れた複数のＢＢＵのうち、いずれのＢＢＵから順番に優先的に処理リソース割り当て制御を行うようにしても良い。また、図１０（Ａ）の「トラフィック大」の場合において、ＢＢＵ＃８の次に優先的に処理リソース割り当て制御を行うＢＢＵとして、ＢＢＵ＃１とＢＢＵ＃７とがＢＢＵ＃４からの距離が同じ程度であった場合には、ＢＢＵ＃８の次の優先順としてＢＢＵ＃１、ＢＢＵ＃７のいずれを選択しても構わない。
【０１２９】
（第３の実施の形態の構成例）
次に、本発明の第３の実施の形態における無線基地局装置の構成例について、図１１を参照しながら説明する。図１１は、本発明の第３の実施の形態における無線基地局装置の全体構成例を示すブロック構成図であり、無線基地局装置として、第１の実施の形態の図１の場合と同様、無線信号処理を集約化してその処理リソースを共有する無線基地局装置の全体構成例を示している。ただし、本第３の実施の形態の図１１に示す無線基地局装置１０２においては、第１の実施の形態の図１の場合の接続切り替え制御部３０の構成とは異なり、ｋ個のベースバンド信号処理カード（ＢＢＵ）２１〜２ｋとｎ個の基地局セル（ＲＲＵ）１１〜１ｎとを任意に定めた一定の単位でクラスタ化して、該クラスタ化に応じて、接続切り替え制御部７０も一部クラスタ化して、処理リソース制御を行う場合の構成例に示している。
【０１３０】
図１１に示す無線基地局装置１０２は、第１の実施の形態の図１の場合と同様、ｎ（ｎ：自然数）個の基地局セル（ＲＲＵ：Remote  Radio  Unitリモート無線ユニット）１１〜１ｎの各無線通信処理を集約して実施するベースバンド処理プール（ＢＢＵ−pool）９０を備え、ベースバンド処理プール（ＢＢＵ−pool）９０内にはｋ（ｋ：自然数、ｋ≦ｎ）個のベースバンド信号処理カード（ＢＢＵ：Base  Band  Unitベースバンド信号処理モジュール）２１〜２ｋを備える。ベースバンド処理プール（ＢＢＵ−pool）９０内のｋ個（１個ないし複数個）のベースバンド信号処理カード（ＢＢＵ）２１〜２ｋそれぞれは、ｎ個の基地局セル（ＲＲＵ）１１〜１ｎ間における処理リソースの共有を行いながら、例えばＬＴＥ−Advancedなどの無線方式のLayer−１処理（ベースバンド信号処理）等を行う。
【０１３１】
また、第１の実施の形態の図１の場合と同様、ｋ個（１個ないし複数個）のベースバンド信号処理カード（ＢＢＵ）２１〜２ｋそれぞれのＲＦ（Radio  Frequency：無線）部側は、接続切り替え制御部７０を介して、光ファイバや無線バックホール（フロントホール）などにより、各基地局セル（ＲＲＵ）１１〜１ｎと接続される。ここで、ベースバンド処理プール（ＢＢＵ−pool）９０において処理する無線方式は、ＬＴＥ−Advanced以外の無線方式であっても何ら問題はないし、また、処理するレイヤについてもLayer−１以外のLayer−２等の処理であっても特に問題はない。
【０１３２】
ただし、本第３の実施の形態に特有の構成として、ベースバンド処理プール（ＢＢＵ−pool）９０内の各ベースバンド信号処理カード（ＢＢＵ）２１〜２ｋは、あらかじめ任意に定めた一定の単位でクラスタ化されていて、例えば、第１信号処理カードクラスタ（第１ＢＢＵクラスタ）９１、第２信号処理カードクラスタ（第２ＢＢＵクラスタ）９２等を備えている。そして、例えば、ベースバンド信号処理カード（ＢＢＵ）２１〜２３は第１信号処理カードクラスタ（第１ＢＢＵクラスタ）９１に含まれ、ベースバンド信号処理カード（ＢＢＵ）２４〜２ｋは第２信号処理カードクラスタ（第２ＢＢＵクラスタ）９２に含まれる。
【０１３３】
同様に、基地局セル（ＲＲＵ）１１〜１ｎもあらかじめ任意に定めた単位でクラスタ化された形となっており、例えば、第１基地局セルクラスタ（第１ＲＲＵクラスタ）１０Ａ、第２基地局セルクラスタ（第２ＲＲＵクラスタ）１０Ｂ等を備えている。そして、例えば、基地局セル（ＲＲＵ）１１〜１５は第１基地局セルクラスタ（第１ＲＲＵクラスタ）１０Ａに含まれ、基地局セル（ＲＲＵ）１６〜１ｎは第２基地局セルクラスタ（第２ＲＲＵクラスタ）１０Ｂに含まれる。
【０１３４】
また、接続切り替え制御部７０のうち、一部は、第１信号処理カードクラスタ（第１ＢＢＵクラスタ）９１、第２信号処理カードクラスタ（第２ＢＢＵクラスタ）９２等のＢＢＵクラスタごとに対応してクラスタ化されている。例えば、図１１においては、第１信号処理カードクラスタ（第１ＢＢＵクラスタ）９１に対応して、接続切り替えモジュール＃１  ４１〜＃３  ４３の３個を内蔵する接続切り替えモジュールクラスタ７１を備えている。なお、接続切り替え制御部７０内の残りの接続切り替えモジュールについては、第１および第２の実施の形態と同様、ベースバンド信号処理カード（ＢＢＵ）ごとに対応して備えられ、例えば、図１１においては、ベースバンド信号処理カード（ＢＢＵ）２４〜２ｋそれぞれに対応して接続切り替えモジュール４４〜４ｋが備えられている。そして、隣接する接続切り替えモジュール間は、第２の実施の形態と同様、リング状の相互接続が可能な構成となっている（あるいは、第１の実施の形態と同様の相互接続が可能な構成としても良い）。
【０１３５】
また、無線基地局装置１０２は、第１の実施の形態の図１および第２の実施の形態の図８の場合と同様、ベースバンド処理プール（ＢＢＵ−pool）９０内のｋ個のベースバンド信号処理カード（ＢＢＵ）２１〜２ｋに対する処理リソース割り当て制御用に、処理リソース割り当て制御部５１、トラフィック予測部５２、接続情報格納部５３等も備えている。さらに、本第３の実施の形態に特有の構成として、上位レイヤにて各基地局セル（ＲＲＵ）１１〜１ｎのＯＮ／ＯＦＦ制御を可能にするために、各基地局セル（ＲＲＵ）１１〜１ｎのＯＮ／ＯＦＦ情報を格納する基地局セルＯＮ／ＯＦＦ情報格納部５４も新たに追加して備えている。
【０１３６】
（第３の実施の形態の動作の説明）
次に、本発明の第３の実施の形態として図１１に示した無線基地局装置１０２の動作の一例について詳細に説明する。なお、図１１に示した無線基地局装置１０２のベースバンド処理プール（ＢＢＵ−pool）９０内のｋ個の各ベースバンド信号処理カード（ＢＢＵ）２１〜２ｋにおいては、前述したように、第１の実施の形態と同様、ｎ個の基地局セル（ＲＲＵ）１１〜１ｎ分の、例えばＬＴＥ−AdvancedなどのLayer−１処理（ベースバンド信号処理）等の無線通信処理を集約して行っている。
【０１３７】
ｋ個のベースバンド信号処理カード（ＢＢＵ）２１〜２ｋによる処理リソースの共有により、基地局セル（ＲＲＵ）１１〜１ｎ分のそれぞれの基地局セル（ＲＲＵ）の処理を、ｋ個のベースバンド信号処理カード（ＢＢＵ）２１〜２ｋのうち、どのベースバンド信号処理カード（ＢＢＵ）で実施するかを可変とするために、各基地局セル（ＲＲＵ）１１〜１ｎと各ベースバンド信号処理カード（ＢＢＵ）２１〜２ｋとの間の接続切り替えは、接続切り替え制御部７０にて実施される。接続切り替え制御部７０にて切り替えられた各送受信信号は、光ファイバや無線バックホール（フロントホール）などを介して、接続された状態になった基地局セル（ＲＲＵ）１１〜１ｎとベースバンド信号処理カード（ＢＢＵ）２１〜２ｋとの間で送受信される。
【０１３８】
ここで、本第３の実施の形態における無線基地局装置１０２の特徴として、前述のように、ベースバンド処理プール（ＢＢＵ−pool）９０内の各ベースバンド信号処理カード（ＢＢＵ）２１〜２ｋはあらかじめ任意に定めた一定の単位でクラスタ化されており、同様に、基地局セル（ＲＲＵ）１１〜１ｎについてもあらかじめ任意に定めた単位でクラスタ化されている。
【０１３９】
したがって、接続切り替え制御部７０についても、第１信号処理カードクラスタ（第１ＢＢＵクラスタ）９１、第２信号処理カードクラスタ（第２ＢＢＵクラスタ）９２等の信号処理カードクラスタ（ＢＢＵクラスタ）ごとに対応させて、例えば、第１信号処理カードクラスタ（第１ＢＢＵクラスタ）９１に対応させて、接続切り替えモジュールクラスタ７１を構成しても良いし、単体のベースバンド信号処理カード（ＢＢＵ）２４〜２ｋごとに対応させて、接続切り替えモジュール４４〜４ｋを構成するようにしても良い。そして、信号処理カードクラスタ（ＢＢＵクラスタ）ごとの接続切り替えモジュールクラスタ７１については、単純に、単体のベースバンド信号処理カード（ＢＢＵ）ごとの単体の接続切り替えモジュール４１〜４３を連接しただけの限定された接続が可能な構成としても良いし、あるいは、例えば第１信号処理カードクラスタ（第１ＢＢＵクラスタ）９１内のベースバンド信号処理カード（ＢＢＵ）２１〜２３に関するＢＢＵ−ＲＲＵ間について全ての接続組み合わせを実現可能とするような構成としても良い。
【０１４０】
なお、本第３の実施の形態においても、接続切り替え制御部７０の接続切り替えモジュールクラスタ７１内の各接続切り替えモジュールおよび単体の各接続切り替えモジュール４４〜４ｋは、第２の実施形態の図９（あるいは、第１の実施の形態の図２）に示した構成と同様、少なくとも、相互接続用入出力インタフェース（第２ＲＲＵ入力インタフェース２、第１ＲＲＵ出力インタフェース３）により、隣接する両側２個ずつ（あるいは両側１個ずつ）の接続切り替えモジュールと互いに連接した構成からなっている。したがって、基地局セル（ＲＲＵ）１１〜１ｎのうち、いずれの基地局セル（ＲＲＵ）においても、当該基地局セル（ＲＲＵ）が接続された接続切り替えモジュールに対応するベースバンド信号処理カード（ＢＢＵ）を中心にして、少なくとも隣接する４つ（あるいは２つ）以上の信号処理カードも含めた合計５つ（あるいは３つ）以上のベースバンド信号処理カード（ＢＢＵ）に接続することを可能としている。
【０１４１】
次に、図１１に示したように、無線基地局装置１０２は、第１の実施の形態の無線基地局装置１００と同様、各ＢＢＵにおける処理リソース共有を実施するために、トラフィック予測部５２（トラフィック予測機能）によるトラフィック予測結果に基づいて、ｋ個の各ベースバンド信号処理カード（ＢＢＵ）２１〜２ｋへのｎ個の基地局セル（ＲＲＵ）１１〜１ｎの処理リソース割り当てを行う処理リソース割り当て制御部５１を備えている。
【０１４２】
トラフィック予測部５２は、あらかじめ定めた或る一定の時間間隔ごとに、日々のトラフィックデータが蓄積されたトラフィックデータベース（各時間間隔ごとの日々のトラフィックの平均値）や、当日のトラフィック履歴（各時間間隔ごとの当日のトラフィックの実績値）などを用いて、ｎ個の基地局セル（ＲＲＵ）１１〜１ｎごとに、次の前記一定の時間間隔分のトラフィック予測を行う。
【０１４３】
また、処理リソース割り当て制御部５１は、トラフィック予測部５２において予測されたトラフィックに基づいて、ｋ個の各ベースバンド信号処理カード（ＢＢＵ）２１〜２ｋそれぞれに対するｎ個の各基地局セル（ＲＲＵ）１１〜１ｎの処理リソース割り当ての制御を行う。該処理リソース割り当て制御の目的は、第１の実施の形態においても説明したように、低消費電力化を実現するために、処理リソース共有により、できるだけ少ない個数のＢＢＵだけを稼動させ、稼動ＯＦＦにすることができるＢＢＵ数をできるだけ増やすことにある。
【０１４４】
次に、本第３の実施の形態において、低消費電力化を実現するために処理リソース割り当て制御部５１において実施される処理リソース割り当ての制御の一例についてさらに説明する。なお、本第３の実施の形態においても、処理リソース割り当て制御の全体処理手順の流れは、第１の実施の形態と基本的には同じであり、第１の実施の形態の図４の制御フローチャートに示した手順と同じである。ただし、本第３の実施の形態における特有の制御動作として、前述したように、上位レイヤにおいて各基地局セル（ＲＲＵ）１１〜１ｎのＯＮ／ＯＦＦ制御が行われることを想定し、上位レイヤから通知されてくる基地局セル（ＲＲＵ）ＯＮ／ＯＦＦ情報を基地局セルＯＮ／ＯＦＦ情報格納部５４に格納して、処理リソース割り当ての制御を行う際に、参照するようにしている。
【０１４５】
つまり、処理リソース割り当て制御部５１は、トラフィック予測部５２から通知されるトラフィック結果や接続情報格納部５３に格納されているＲＲＵ−ＢＢＵ間接続情報の他に、さらに、上位レイヤから通知されてきて、基地局セルＯＮ／ＯＦＦ情報格納部５４に格納されている基地局セル（ＲＲＵ）ＯＮ／ＯＦＦ情報も用いて、処理リソース割り当て制御を行う。
【０１４６】
なお、トラフィック予測部５２においてトラフィック予測を行う際についても、基地局セルＯＮ／ＯＦＦ情報格納部５４に格納されている基地局セル（ＲＲＵ）ＯＮ／ＯＦＦ情報も参照して、トラフィック予測が行われる。トラフィック予測部５２において予測されたトラフィック予測結果は、処理リソース割り当て制御部５１に通知されて、処理リソース割り当て制御を行う図４の制御フローチャートのステップＳ１の処理に反映される。
【０１４７】
処理リソース割り当て制御部５１は、基地局セルＯＮ／ＯＦＦ情報格納部５４に格納されている基地局セル（ＲＲＵ）ＯＮ／ＯＦＦ情報の参照結果として、例えば、稼動中の基地局セル（ＲＲＵ）１１〜１ｎのいずれかがＯＦＦになっていることを検知した場合には、当該基地局セル（ＲＲＵ）に関するＲＲＵ処理リソースが割り当てられていたベースバンド信号処理カード（ＢＢＵ）から当該ＲＲＵ処理リソース割り当てを事前に削除した上で、第１の実施の形態の図４の制御フローチャートに示した処理リソース割り当て制御を行う。結果的には、図４のステップＳ１に示したトラフィック予測結果による稼動ＯＦＦ対象のベースバンド信号処理カード（ＢＢＵ）順の決定結果および図４のステップＳ３、Ｓ４に示した各対象ベースバンド信号処理カード（ＢＢＵ）の処理リソース使用率の算出結果に影響を及ぼすことになる。
【０１４８】
一方、処理リソース割り当て制御部５１が、基地局セルＯＮ／ＯＦＦ情報格納部５４に格納されている基地局セル（ＲＲＵ）ＯＮ／ＯＦＦ情報の参照結果として、例えば、稼動ＯＦＦ状態にあった基地局セル（ＲＲＵ）１１〜１ｎのいずれかが稼動ＯＮ状態になっていることを検知した場合には、当該基地局セル（ＲＲＵ）が接続可能であって、かつ、稼動ＯＮ状態のベースバンド信号処理カード（ＢＢＵ）が存在する場合には、稼動ＯＮ状態のベースバンド信号処理カード（ＢＢＵ）のうち、当該基地局セル（ＲＲＵ）の接続距離が最も近傍の位置にあるベースバンド信号処理カード（ＢＢＵ）に対して、一旦、当該基地局セル（ＲＲＵ）に関する仮の処理リソース割り当てを行った上で、第１の実施の形態の図４の制御フローチャートに示した処理リソース割り当て制御を行う。
【０１４９】
なお、当該基地局セル（ＲＲＵ）に関する仮の処理リソースを割り当てたことによって、当該ベースバンド信号処理カード（ＢＢＵ）の処理リソース使用率があらかじめ定めた上限値の閾値Ａを超えるような状況になる場合であっても、あるいは、当該基地局セル（ＲＲＵ）が接続可能であって、かつ、稼動ＯＮ状態のベースバンド信号処理カード（ＢＢＵ）が存在していなかった場合であっても、同様に、当該基地局セル（ＲＲＵ）が接続可能であって、かつ、当該基地局セル（ＲＲＵ）の接続距離が最も近いベースバンド信号処理カード（ＢＢＵ）に仮の処理リソース割り当てを行った上で、図４に示した処理リソース割り当て制御を行う。その理由は、当該基地局セル（ＲＲＵ）の接続距離が最も近いベースバンド信号処理カード（ＢＢＵ）に一旦処理リソース割り当てを行うことによって、当該基地局セル（ＲＲＵ）から接続関係がないベースバンド信号処理カード（ＢＢＵ）に処理リソース割り当てが必要となるようなケースを未然に防止することができるためである。
【０１５０】
（第１、第２、第３の実施の形態の効果の説明）
以上に詳細に説明したように、本発明の各実施の形態においては、以下のような効果を期待することができる。
【０１５１】
第１の効果は、複数の基地局セル（ＲＲＵ）１１〜１ｎ分の無線通信処理を集約する無線基地局装置１００〜１０２において、接続切り替え制御部３０、４０、７０の回路規模を低減することにより、装置小規模化や低消費電力化を実現することができることである。
【０１５２】
その理由は、本発明の各実施の形態における無線基地局装置１００〜１０２においては、接続切り替え制御部３０、４０、７０として、基地局セル（ＲＲＵ）−ベースバンド信号処理カード（ＢＢＵ）間の接続を限定した接続切り替えモジュール３１〜３ｋ、４１〜４ｋを複数並べて連接したり、あるいは、第３の実施の形態の接続切り替えモジュールクラスタ７１のように一部クラスタ化したりして構成しているので、基地局セル（ＲＲＵ）−ベースバンド信号処理カード（ＢＢＵ）間の理想的な全ての接続組み合わせを実現する従来の接続切り替え部に比べて、その回路規模を大幅に削減することができるためである。
【０１５３】
つまり、理想的な全ての接続組み合わせを実現する場合は、「ＲＲＵ数×ＢＢＵ数」など、それぞれの個数の乗算に比例するような回路規模となるのに対し、本発明の各実施の形態における接続切り替え制御部３０、４０、７０の場合は、「（限定したＲＲＵ数）×ＢＢＵ数」など、ＢＢＵの個数のみに線形に比例するような回路規模に抑えることができる。ここで、「限定したＲＲＵ数」とは、第１の実施の形態の場合は９個、第２の実施の形態の例の場合は１５個などであり、あらかじめ任意に設定した一定の値である。
【０１５４】
そして、かくのごとき回路規模削減による装置小規模化および低消費電力化の効果に関しては、今後トラフィックが増大し、より多くの基地局セル（ＲＲＵ）やベースバンド信号処理カード（ＢＢＵ）を集約化しようとする場合に、理想的な全ての接続組み合わせを実現しようとして指数的に回路規模が増加してしまう従来の接続切り替え制御部に比し、特に顕著になることは言うまでもない。
【０１５５】
なお、各接続切り替えモジュール３１〜３ｋ、４１〜４ｋは、基本的には、第１、第２の実施の形態のように、ベースバンド信号処理カード（ＢＢＵ）ごとに備えることを基本とするが、第３の実施の形態の接続切り替えモジュールクラスタ７１のように、信号処理カードクラスタ（ＢＢＵクラスタ）の単位ごとに対応して構成するようにしても、前述の効果には何ら影響を与えない。すなわち、全ての接続切り替えモジュールを均一の構成にして拡張することが可能な装置アーキテクチャとすることを基本とするものの、場合によっては、第１、第２、第３の実施の形態に示したそれぞれの接続切り替えモジュール３１〜３ｋ、４１〜４ｋや接続切り替えモジュールクラスタ７１の構成が混在するような装置アーキテクチャであっても何ら問題はない。
【０１５６】
第２の効果は、複数の基地局セル（ＲＲＵ）１１〜１ｎ分の無線通信処理を集約する無線基地局装置１００〜１０２において、トラフィック増大等に対応するために、装置を拡張しようとする場合に、基地局セル無線部１０の基地局セル（ＲＲＵ）１１〜１ｎや、ベースバンド処理プール(ＢＢＵ−pool)２０、９０のベースバンド信号処理カード（ＢＢＵ）２１〜２ｋだけでなく、接続切り替え制御部３０、４０、７０の接続切り替えモジュール３１〜３ｋ、４１〜４ｋも含めて、必要な分だけ線形に拡張可能であり、拡張性が向上することである。
【０１５７】
その理由は、本発明の実施の形態における無線基地局装置１００〜１０２においては、接続切り替え制御部３０、４０、７０として、基地局セル（ＲＲＵ）−ベースバンド信号処理カード（ＢＢＵ）間の接続を限定し、第１、第２の実施の形態のように、隣接する接続切り替えモジュールとの相互接続インタフェースを備えた接続切り替えモジュール３１〜３ｋ、４１〜４ｋを、複数並べて連接したり、第３の実施の形態の接続切り替えモジュールクラスタ７１のように、内部で階層的に連接したりして構成しているので、接続切り替えモジュール３１〜３ｋ、４１〜４ｋも、基地局セル（ＲＲＵ）１１〜１ｎやベースバンド信号処理カード（ＢＢＵ）２１〜２ｋと同様に、例えば、拡張する「ＢＢＵ数」に応じて線形に拡張すれば良いためである。
【０１５８】
次に、本第２の効果に関し、従来技術における問題点を図１２の説明図を用いて説明する。図１２は、従来の基地局セル（ＲＲＵ）−ベースバンド信号処理カード（ＢＢＵ）間の全ての接続組み合わせを実現する理想的な例えばクロスバ型のような接続切り替え部を用いた場合における問題点を説明するための説明図である。ここで、理想的な構成の接続切り替え部の場合は、「ＲＲＵ数×ＢＢＵ数」の全ての接続が必要となるため、ＲＲＵ１個あるいはＢＢＵ１個を拡張する場合であっても、既存のＲＲＵ数やＢＢＵ数に依存した拡張が必要となる。
【０１５９】
例えば、図１２（Ａ）に示すように、基地局セル（ＲＲＵ）の個数Ｍが、ＲＲＵ＃１〜ＲＲＵ＃４の４個、ベースバンド信号処理カード（ＢＢＵ）の個数ＮがＢＢＵ＃１〜ＢＢＵ＃３の３個の間の全ての接続組み合わせを実現する理想的なクロスバ（相互結合網）型の接続切り替え部Ａを用いていた場合に、ＲＲＵ＃５およびＢＢＵ＃４を１個ずつ増設しようとした場合には、図１２（Ｂ）に示すように、「Ｍ（＝５）×Ｎ（＝４）」の全ての接続組み合わせを実現するためには、接続切り替え部Ａを接続切り替え部Ｂに変更することになり、接続切り替え部全体を変更する必要が生じて、拡張性が低くなるという問題がある。
【０１６０】
あるいは、図１２（Ｃ）に示すように、全ての接続組み合わせの実現は諦めて、既存の基地局セル（ＲＲＵ）−ベースバンド信号処理カード（ＢＢＵ）間の全ての接続組み合わせを実現する接続切り替え部Ａはそのままにして、増設したＲＲＵ＃５−ＢＢＵ＃４間のみを接続するための専用の接続切り替え部Ｃを別途追加することも、場合によっては、適用可能である。しかし、図１２（Ｃ）の場合、増設するＢＢＵ＃４と既存のＢＢＵ＃１〜＃３との間は、処理リソースの共有ができなくなるという問題が生じる。
【０１６１】
これに対して、本発明の各実施の形態においては、図２や図９に示した接続切り替えモジュールを、基地局セル（ＲＲＵ）やベースバンド信号処理カード（ＢＢＵ）の増設に応じて、必要とする個数分だけ、接続切り替えモジュールを接続切り替え制御部３０、４０、７０に追加するだけで、既存の設備との処理リソース共有も可能な形で増設することが可能であるという利点がある。
【０１６２】
第３の効果は、複数の基地局セル（ＲＲＵ）１１〜１ｎ分の無線通信処理を集約する無線基地局装置１００〜１０２において、接続制限がある接続切り替え制御部３０、４０、７０を用いた場合であっても、理想的な接続切り替え部を用いた場合とほぼ同等の処理リソース共有を実現することができ、ほぼ同等の低消費電力化効果が得られることである。
【０１６３】
その理由は、本発明の各実施の形態における基地局セル処理リソース割り当て方法においては、稼動ＯＦＦにしたい（すなわち、稼動をオフ状態に設定しようとする）ベースバンド信号処理カード（ＢＢＵ）をあらかじめ決定して、該稼動ＯＦＦ対象のベースバンド信号処理カード（ＢＢＵ）から距離的に離れたベースバンド信号処理カード（ＢＢＵ）から順番に優先的に処理リソース割り当て制御を行うことにしたためである。さらに、割り当て対象ベースバンド信号処理カード（ＢＢＵ）の処理リソース使用率があらかじめ定めた上限値の閾値Ａを超える場合には、当該割り当て対象ベースバンド信号処理カード（ＢＢＵ）から距離的に離れたベースバンド信号処理カード（ＢＢＵ）から順番に優先的に割り当て転出制御を行い、また、処理リソース使用率があらかじめ定めた下限値の閾値Ｂを下回る場合には、当該割り当て対象ベースバンド信号処理カード（ＢＢＵ）の近傍に位置するベースバンド信号処理カード（ＢＢＵ）から順番に優先的に割り当て転入制御を行うような処理リソース割り当て制御としたためである。
【０１６４】
而して、基地局セル（ＲＲＵ）−ベースバンド信号処理カード（ＢＢＵ）間を全ての接続組み合わせで接続可能とする理想的な接続切り替え制御部を用いた場合と、ほぼ同等の処理リソース共有と低消費電力化とを実現することができる。
【０１６５】
具体的には、基地局セル処理リソース割り当て方法として、任意のベースバンド信号処理カード（ＢＢＵ）に対してできるだけ接続距離が近い基地局セル（ＲＲＵ）から順番に処理を割り当てる方法になっているためであり、任意の基地局セル（ＲＲＵ）の処理を接続関係がないベースバンド信号処理カード（ＢＢＵ）に割り当てようとすることを未然に防止することができるような方法を採用しているためである。
【０１６６】
また、もう一つの理由として、稼動ＯＦＦにしたいベースバンド信号処理カード（ＢＢＵ）をあらかじめ意識しながら、当該ベースバンド信号処理カード（ＢＢＵ）から距離的に離れたベースバンド信号処理カード（ＢＢＵ）から順番にＲＲＵ処理リソースの割り当てを行うことにより、稼動ＯＮ状態の設定が予定されている残りのベースバンド信号処理カード（ＢＢＵ）にできるだけ多くのＲＲＵ処理を割り当てることができ、稼動ＯＦＦにしたいベースバンド信号処理カード（ＢＢＵ）を実際に稼動ＯＦＦ状態に設定することが可能な確率を高くすることができるためである。
【０１６７】
図１３には、本発明の実施の形態における基地局セル処理リソース割り当て方法と従来の基地局セル処理リソース割り当て方法との、処理リソース共有効果について説明するための模式図を示しており、隣接する両側１個ずつに接続限定された接続切り替え部を用いた場合の処理リソース共有効果について示している。図１３（Ａ）には、前記非特許文献１に記載の従来の基地局セル処理リソース割り当て方法を適用した場合を示し、図１３（Ｂ）には、本発明の第１の実施の形態における基地局セル処理リソース割り当て方法を適用した場合を示している。また、図１３に示す例においては、ベースバンド信号処理カード（ＢＢＵ）の消費電力の内訳の仮定として、図示しているように、稼動ＯＮの場合には常時必要な消費電力（負荷非依存部分）が３０％であり、稼動率（処理リソース使用率）に比例する消費電力（負荷依存部分）が７０％であるものと仮定する。また、ＢＢＵ＃１〜ＢＢＵ＃４それぞれにおけるＲＲＵ処理のトラフィックが、９０％、１００％、１００％、３０％の状態から９０％、３０％、１００％、３０％の状態に変化したものと仮定する。
【０１６８】
前記非特許文献１に記載されたような従来の処理割り当て手法の場合、ベースバンド信号処理カード（ＢＢＵ）処理順や基地局セル（ＲＲＵ）処理順を特に意識していないため、図１３（Ａ）に示すように、ＢＢＵ＃２の稼動率３０％のうち１０％に該当するＲＲＵ処理はＢＢＵ＃１に移動させることができるものの、ＢＢＵ＃２の残りの稼動率２０％およびＢＢＵ＃４の稼動率３０％のＲＲＵ処理をリソース共有しようとしても、それぞれのＲＲＵ処理に該当する基地局セル（ＲＲＵ）は、隣接する両側１個ずつには含まれていない離れた位置にあるベースバンド信号処理カード（ＢＢＵ）に接続することができなく、当該基地局セル（ＲＲＵ）に関する処理を移動させることができない。
【０１６９】
したがって、処理リソース共有を十分に行うことができず、４個のベースバンド信号処理カード（ＢＢＵ）が全て稼動状態になってしまう。この結果、図１３（Ａ）に示すように、全ベースバンド信号処理カード（ＢＢＵ）が稼動ＯＮ状態になる結果として、消費電力は７４％となる。
【０１７０】
一方、本発明の実施の形態における処理リソース割り当て手法においては、ベースバンド信号処理カード（ＢＢＵ）処理順や基地局セル（ＲＲＵ）処理順を意識しているため、図１３（Ｂ）に示すように、ＢＢＵ＃３の稼動率１００％のうち３３％に該当するＲＲＵ処理をＢＢＵ＃２に移動させ、さらに、ＢＢＵ＃４のＢＢＵ＃２の稼動率３０％に該当する全ての処理をＢＢＵ＃３に移動させて、ＢＢＵ＃４を稼動ＯＦＦの状態に設定することができる。
【０１７１】
したがって、図１３（Ｂ）に示すように、全ベースバンド信号処理カード（ＢＢＵ）のうち、稼動ＯＮ状態はＢＢＵ＃１〜ＢＢＵ＃３の３個になる結果として、消費電力は６６％となり、理想的な接続切り替え部を用いた場合と同等の低消費電力効果が得られる。
【０１７２】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【０１７３】
上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１７４】
この出願は、２０１４年８月２８日に出願された日本出願特願２０１４−１７４０６７を基礎とする優先権を主張し、その開示の全てをここに取り込む。
【符号の説明】
【０１７５】
１              第１ＲＲＵ入力インタフェース
２              第２ＲＲＵ入力インタフェース
３              第１ＲＲＵ出力インタフェース
１０            基地局セル無線部（ＲＲＵ）
１０Ａ          第１基地局セルクラスタ（第１ＲＲＵクラスタ）
１０Ｂ          第２基地局セルクラスタ（第２ＲＲＵクラスタ）
１１〜１ｎ      基地局セル（ＲＲＵ）
２０            ベースバンド処理プール（ＢＢＵ−pool）
２１〜２ｋ      ベースバンド信号処理カード（ＢＢＵ）
３０            接続切り替え制御部
３１〜３ｋ      接続切り替えモジュール
４０            接続切り替え制御部
４１〜４ｋ      接続切り替えモジュール
５１            処理リソース割り当て制御部
５２            トラフィック予測部（トラフィック予測機能）
５３            接続情報格納部
５４            基地局セル（ＲＲＵ）ＯＮ／ＯＦＦ情報格納部
７０            接続切り替え制御部
７１            接続切り替えモジュールクラスタ
８１            上位レイヤ処理部
９０            ベースバンド処理プール（ＢＢＵ−pool）
９１            第１信号処理カードクラスタ（第１ＢＢＵクラスタ）
９２            第２信号処理カードクラスタ（第２ＢＢＵクラスタ）
１００          無線基地局装置
１０１          無線基地局装置
１０２          無線基地局装置
Ａ１〜Ａ８      処理リソース割り当て制御の処理ステップ
Ｂ１〜Ｂ５      処理リソース割り当て制御の処理ステップ
Ｓ１〜Ｓ６      処理リソース割り当て制御の処理ステップ
【図１】
0006515931.tif 000002
【図２】
0006515931.tif 000003
【図３】
0006515931.tif 000004
【図４】
0006515931.tif 000005
【図５】
0006515931.tif 000006
【図６】
0006515931.tif 000007
【図７】
0006515931.tif 000008
【図８】
0006515931.tif 000009
【図９】
0006515931.tif 000010
【図１０】
0006515931.tif 000011
【図１１】
0006515931.tif 000012
【図１２】
0006515931.tif 000013
【図１３】
0006515931.tif 000014